(57)【特許請求の範囲】
【請求項１】
ネットワーク管理ノードであって、
プロセッサ回路と、
前記プロセッサ回路によってサービス持続可能性情報をモビリティ管理エンティティ（ＭＭＥ）から受信することを実行するように設定された通信コンポーネントと、
前記サービス持続可能性情報に基いて、ｅＮｏｄｅＢの持続可能でないアイドルデバイスカウントを決定することを前記プロセッサ回路によって実行するように設定された決定コンポーネントとを備え、
前記サービス持続可能性情報は、複数のモバイルデバイスのそれぞれが、複数のモバイルデバイスインターフェースノードによってサービス提供されているか否かを示す情報、および、前記複数のモバイルデバイスのそれぞれが、それぞれのサービングモバイルデバイスインターフェースノードが非アクティブ化される場合にサービスの中断を被り得るか否かを示す情報の少なくともいずれかを含み、
前記持続可能でないアイドルデバイスカウントは、前記ｅＮｏｄｅＢによってサービス提供され、代替規格のモバイルデバイスインターフェースノードに登録されていないアイドルモバイルデバイスの数を含み、
前記決定コンポーネントは、前記持続可能でないアイドルデバイスカウントに基いて、前記ｅＮｏｄｅＢが省エネルギーモードに入るかどうかを、前記プロセッサ回路によって決定することを実行するように設定される、ネットワーク管理ノード。
【請求項２】
前記決定コンポーネントは、オペレータポリシーに基いて、持続可能でないアイドルデバイスしきい値を決定することを前記プロセッサ回路によって実行するように設定される、請求項１に記載のネットワーク管理ノード。
【請求項３】
前記決定コンポーネントは、前記持続可能でないアイドルデバイスカウントが前記持続可能でないアイドルデバイスしきい値よりも小さいかどうかに基いて、前記ｅＮｏｄｅＢが前記省エネルギーモードに入るべきかどうかを決定することを前記プロセッサ回路によって実行するように設定される、請求項２に記載のネットワーク管理ノード。
【請求項４】
前記決定コンポーネントは、転送不可能な接続されたデバイスのカウントに基いて、前記ｅＮｏｄｅＢが前記省エネルギーモードに入るべきかどうかを決定することを前記プロセッサ回路によって実行するように設定される、請求項１に記載のネットワーク管理ノード。
【請求項５】
前記決定コンポーネントは、前記転送不可能な接続されたデバイスのカウントが転送不可能な接続されたデバイスのしきい値よりも小さいかどうかに基いて、前記ｅＮｏｄｅＢが前記省エネルギーモードに入るべきかどうかを決定することを前記プロセッサ回路によって実行するように設定される、請求項４に記載のネットワーク管理ノード。
【請求項６】
前記決定コンポーネントは、前記転送不可能な接続されたデバイスのカウントを生成することを前記プロセッサ回路によって実行するように設定される、請求項４または５に記載のネットワーク管理ノード。
【請求項７】
前記決定コンポーネントは、前記ｅＮｏｄｅＢのトラフィック負荷を決定することを前記プロセッサ回路によって実行するように設定される、請求項１に記載のネットワーク管理ノード。
【請求項８】
前記決定コンポーネントは、前記ｅＮｏｄｅＢの前記トラフィック負荷がトラフィック負荷しきい値よりも小さいかどうかに基いて、前記ｅＮｏｄｅＢが前記省エネルギーモードに入る候補であるかどうかを決定することを前記プロセッサ回路によって実行するように設定される、請求項７に記載のネットワーク管理ノード。
【請求項９】
クエリをモビリティ管理エンティティ（ＭＭＥ）に送信する段階と、
前記クエリに応答して、持続可能でないアイドルデバイスカウントを前記ＭＭＥから受信する段階と、
前記持続可能でないアイドルデバイスカウントに基いて、ｅＮｏｄｅＢが省エネルギーモードに入るべきかどうかをプロセッサ回路によって、決定する段階と
を備え、
前記持続可能でないアイドルデバイスカウントは、前記ｅＮｏｄｅＢによってサービス提供され、代替規格のモバイルデバイスインターフェースノードに登録されていないアイドルモバイルデバイスの数を含む、方法。
【請求項１０】
前記持続可能でないアイドルデバイスカウントが持続可能でないアイドルデバイスしきい値よりも小さいかどうかに基いて、前記ｅＮｏｄｅＢが前記省エネルギーモードに入るべきかどうかを決定する段階を備える、請求項９に記載の方法。
【請求項１１】
前記持続可能でないアイドルデバイスしきい値は、オペレータポリシーにおいて定義される、請求項１０に記載の方法。
【請求項１２】
転送不可能な接続されたデバイスのカウントを生成し、前記転送不可能な接続されたデバイスのカウントがオペレータポリシーに定義される転送不可能な接続されたデバイスのしきい値よりも小さいかどうかに基いて、前記ｅＮｏｄｅＢが前記省エネルギーモードに入るべきかどうかを決定する段階と
を備える、請求項９に記載の方法。
【請求項１３】
前記ｅＮｏｄｅＢのトラフィック負荷を決定する段階と、
前記ｅＮｏｄｅＢの前記トラフィック負荷がオペレータポリシーにおいて定義されるトラフィック負荷しきい値よりも小さい場合に、前記ｅＮｏｄｅＢが前記省エネルギーモードに入る候補であると決定する段階と
を備える、請求項９または１２に記載の方法。
【請求項１４】
コンピューティングデバイスに、
第１のしきい値を定義するオペレータポリシーを受信する手順と、
サービス持続可能性情報クエリをモビリティ管理エンティティ（ＭＭＥ）に送信する手順と、
前記サービス持続可能性情報クエリに応答して、前記ＭＭＥからサービス持続可能性情報を受信する手順と、
前記サービス持続可能性情報に基いて決定された、ｅＮｏｄｅＢによってサービス提供され、代替規格のモバイルデバイスインターフェースノードに登録されていないアイドルモバイルデバイスの数を含む持続可能でないアイドルデバイスカウントに基いて、前記ｅＮｏｄｅＢが省エネルギーモードに入るべきかどうかを決定する手順とを行わせ、
前記サービス持続可能性情報は、複数のモバイルデバイスのそれぞれが、複数のモバイルデバイスインターフェースノードによってサービス提供されているか否かを示す情報、および、前記複数のモバイルデバイスのそれぞれが、それぞれのサービングモバイルデバイスインターフェースノードが非アクティブ化される場合にサービスの中断を被り得るか否かを示す情報の少なくともいずれかを含む、プログラム。
【請求項１５】
前記コンピューティングデバイスに、
前記持続可能でないアイドルデバイスカウントが前記第１のしきい値よりも小さいかどうかに基いて、前記ｅＮｏｄｅＢが前記省エネルギーモードに入るべきかどうかを決定する手順を行わせる、請求項１４に記載のプログラム。
【請求項１６】
前記コンピューティングデバイスに、転送不可能な接続されたデバイスのカウントを生成する手順を行わせる、請求項１４または１５に記載のプログラム。
【請求項１７】
前記転送不可能な接続されたデバイスのカウントは、ハンドオフが成功しなかったか、または可能でなかった前記ｅＮｏｄｅＢによってサービス提供される接続されたモバイルデバイスの数を示す、請求項１６に記載のプログラム。
【請求項１８】
前記コンピューティングデバイスに、前記転送不可能な接続されたデバイスのカウントが前記オペレータポリシーにおいて定義される第２のしきい値よりも小さいかどうかに基いて、前記ｅＮｏｄｅＢが前記省エネルギーモードに入るべきかどうかを決定する手順を行わせる、請求項１６または１７に記載のプログラム。
【請求項１９】
前記第１のしきい値は持続可能でないアイドルデバイスしきい値を含み、前記第２のしきい値は転送不可能な接続されたデバイスのしきい値を含む、請求項１８に記載のプログラム。
【請求項２０】
前記コンピューティングデバイスに、前記ｅＮｏｄｅＢのトラフィック負荷を決定する手順を行わせる、請求項１４に記載のプログラム。
【請求項２１】
前記コンピューティングデバイスに、前記ｅＮｏｄｅＢの前記トラフィック負荷が前記オペレータポリシーにおいて定義されるトラフィック負荷しきい値よりも小さい場合に、前記ｅＮｏｄｅＢが前記省エネルギーモードに入る候補であると決定する手順を行わせる、請求項２０に記載のプログラム。
【請求項２２】
デバイス追跡情報を受信する段階と、
プロセッサによって、前記デバイス追跡情報をデバイス追跡テーブルに追加する段階と、
サービス持続可能性情報クエリを受信する段階と、
前記サービス持続可能性情報クエリおよび前記デバイス追跡テーブルに基いて、ｅＮｏｄｅＢが省エネルギーモードに入るかどうかを決定するためにネットワーク管理ノードによって用いられるサービス持続可能性情報を生成する段階と、
前記サービス持続可能性情報を、前記ネットワーク管理ノードに送信する段階と
を備え、
前記サービス持続可能性情報は、複数のモバイルデバイスのそれぞれが、複数のモバイルデバイスインターフェースノードによってサービス提供されているか否かを示す情報、および、前記複数のモバイルデバイスのそれぞれが、それぞれのサービングモバイルデバイスインターフェースノードが非アクティブ化される場合にサービスの中断を被り得るか否かを示す情報の少なくともいずれかを含む、方法。
【請求項２３】
前記デバイス追跡情報は、アイドルモバイルデバイスが持続可能でないアイドル状態に入ったことを示し、前記持続可能でない状態は、前記アイドルモバイルデバイスが代替規格のモバイルデバイスインターフェースノードに登録されていない状態を含む、請求項２２に記載の方法。
【請求項２４】
前記持続可能でないアイドル状態は、非アクティブ化されたアイドルモードシグナリングの低減（ＩＳＲ）状態を含む、請求項２３に記載の方法。
【請求項２５】
前記サービス持続可能性情報は、ｅＮｏｄｅＢについての持続可能でないアイドルデバイスカウントを含む、請求項２３または２４に記載の方法。
【請求項２６】
前記デバイス追跡情報が、追跡区域更新（ＴＡＵ）タイマの終了前にアイドルモバイルデバイスからＴＡＵ要求を受信し、ルーティング区域更新（ＲＡＵ）タイマの終了前に前記アイドルモバイルデバイスからＲＡＵ要求を受信したことを示すとき、前記アイドルモバイルデバイスが持続可能なアイドル状態にあることを示すように前記デバイス追跡テーブル内のエントリを修正する段階を備える、請求項２２に記載の方法。
【請求項２７】
前記デバイス追跡情報は、追跡区域更新（ＴＡＵ）タイマの終了前にアイドルモバイルデバイスからＴＡＵ要求を受信し、ルーティング区域更新（ＲＡＵ）タイマの終了前に前記アイドルモバイルデバイスからＲＡＵ要求を受信しなかったことを示すとき、前記アイドルモバイルデバイスが持続可能でないアイドル状態にあることを示すように前記デバイス追跡テーブル内のエントリを修正する段階を備える、請求項２２または２６に記載の方法。
【請求項２８】
前記デバイス追跡情報が、アイドルモバイルデバイスが第１のｅＮｏｄｅＢによってサービス提供されることを示す前記アイドルモバイルデバイスから追跡区域更新（ＴＡＵ）要求を受信したことを示し、既存のエントリが、前記アイドルモバイルデバイスが第２のｅＮｏｄｅＢによってサービス提供されることを示すとき、前記アイドルモバイルデバイスが前記第１のｅＮｏｄｅＢによってサービス提供されることを示すように前記デバイス追跡テーブル内の前記既存のエントリを修正する段階を備える、請求項２２、２６または２７のいずれか一項に記載の方法。
【請求項２９】
前記デバイス追跡情報が、アイドルモバイルデバイスがｅＮｏｄｅＢによってサービス提供されることを示す前記アイドルモバイルデバイスから追跡区域更新（ＴＡＵ）要求を受信したことを示し、前記デバイス追跡テーブル内のエントリが前記アイドルモバイルデバイスに対応しないとき、前記デバイス追跡テーブルにエントリを追加し、前記アイドルモバイルデバイスが前記ｅＮｏｄｅＢによってサービス提供されることを示す段階を備える、請求項２２、または２６〜２８のいずれか一項に記載の方法。
【請求項３０】
前記デバイス追跡情報が、追跡区域更新（ＴＡＵ）タイマの終了前にＴＡＵ要求をアイドルモバイルデバイスから受信しなかったことを示すとき、前記アイドルモバイルデバイスに対応する前記デバイス追跡テーブル内のエントリを削除する段階を備える、請求項２２、または２６〜２９のいずれか一項に記載の方法。
【発明の詳細な説明】
【背景技術】
【０００１】
いくつかの無線通信システムは、電力を保存するべく、省エネルギーモードによってｅＮｏｄｅＢ等、未活用のモバイルデバイスインターフェースノードを非アクティブ化することを可能にする省エネルギー管理アルゴリズムを実装することがある。モバイルデバイスインターフェースノードを非アクティブ化する場合、そのモバイルデバイスインターフェースノードがサービス提供するモバイルデバイスは、代替のモバイルデバイスインターフェースノードからサービスを得て、実際上連続的なサービスを実現することができない限り、非アクティブ化するときにサービスの中断または劣化を被ることがある。通常、サービスの中断または劣化は望ましいものではなく、オペレータポリシーは、モバイルデバイスインターフェースノードを非アクティブ化するときにサービスの中断または劣化を被り得るモバイルデバイスの数を制限することを規定する場合がある。サービスの中断または劣化を被り得るモバイルデバイスの数がしきい値を超える場合、オペレータポリシーはサービングモバイルデバイスインターフェースノードを非アクティブ化できないと規定する場合がある。そのようなオペレータポリシーに準拠して省エネルギー管理アルゴリズムを実装することによって、システム電力消費の低減を提供し、一方でサービスの損失または劣化の発生を抑えることができる。しかし、従来のシステムにおいて、モバイルデバイスインターフェースノードによってサービス提供されるモバイルデバイスが代替のモバイルデバイスインターフェースノードに接続し、またはハンドオフされ得るかどうかについての情報は、容易に利用可能でないことがあり、従って、当該オペレータポリシーに準拠するそのような省エネルギー管理アルゴリズムの実装は実用的でなく、あるいは厄介であることがある。従って、省エネルギー管理を改善する技術が所望である。
【図面の簡単な説明】
【０００２】
【図１】通信環境の実施形態を例示する。
【図２】第１の装置の実施形態および第１のシステムの実施形態を例示する。
【図３Ａ】第１のデバイス追跡テーブルの実施形態を例示する。
【図３Ｂ】第２のデバイス追跡テーブルの実施形態を例示する。
【図３Ｃ】第３のデバイス追跡テーブルの実施形態を例示する。
【図４】第１の論理フローの実施形態を例示する。
【図５】第２の装置の実施形態および第２のシステムの実施形態を例示する。
【図６】第３の装置の実施形態および第３のシステムの実施形態を例示する。
【図７】第２の論理フローの実施形態を例示する。
【図８】ストレージ媒体の実施形態を例示する。
【図９】コンピューティングアーキテクチャの実施形態を例示する。
【図１０】通信システムの実施形態を例示する。
【発明を実施するための形態】
【０００３】
様々な実施形態は、概ね省エネルギー管理を改善する技術を対象とする。例えば、いくつかの実施形態において、ネットワーク管理ノードは、プロセッサ回路と、デバイス追跡ノードからデバイス追跡情報を受信することをプロセッサ回路によって実行するように設定された通信コンポーネントと、ｅＮｏｄｅＢがデバイス追跡情報に基いて省エネルギーモードに入るべきかどうかを決定することをプロセッサ回路によって実行するように設定された決定コンポーネントとを備えるとしてもよい。他の実施形態も記載し、特許請求する。
【０００４】
本明細書に開示する技術は、１つまたは複数の無線モバイルブロードバンド技術を用いる１つまたは複数の無線接続を介するコンテンツの送信を含むとしてもよい。無線モバイルブロードバンド技術の例としては、米国電気電子学会（ＩＥＥＥ）８０２．１６ｍおよび８０２．１６ｐ規格、第三世代パートナーシッププロジェクト（３ＧＰＰ）のロングタームエボリューション（ＬＴＥ）およびＬＴＥアドバンスト（ＬＴＥ  ＡＤＶ）規格、ならびに改訂版、後継版、および変形版を含む国際移動体通信アドバンス（ＩＭＴ‐ＡＤＶ）規格のいずれかが挙げられ得るが、これらに限定されない。他の好適な例としては、移動体通信用グローバルシステム（ＧＳＭ（登録商標））／ＧＳＭ（登録商標）進化型高速データレート（ＥＤＧＥ）技術、ユニバーサル移動体通信システム（ＵＭＴＳ）／高速パケットアクセス（ＨＳＰＡ）技術、ワールドワイド・インターオペラビリティ・フォー・マイクロウェーブ・アクセスまたはＷｉＭＡＸＩＩ技術、符号分割多重アクセス（ＣＤＭＡ）２０００システム技術（例えばＣＤＭＡ２０００  １ｘＲＴＴ、ＣＤＭＡ２０００  ＥＶ‐ＤＯ、ＣＤＭＡ  ＥＶ‐ＤＶなど）、欧州通信規格機構（ＥＴＳＩ）のブロードバンド無線アクセスネットワーク（ＢＲＡＮ）により規定される高性能無線ローカルエリアネットワーク（ＨＩＰＥＲＭＡＮ）技術、無線ブロードバンド（ＷｉＢｒｏ）技術、汎用パケット無線サービス（ＧＰＲＳ）システム（ＧＳＭ（登録商標）／ＧＰＲＳ）技術を用いるＧＳＭ（登録商標）、高速ダウンリンクパケットアクセス（ＨＳＤＰＡ）技術、高速直交周波数分割技術（ＯＦＤＭ）パケットアクセス（ＨＳＯＰＡ）技術、高速アップリンクパケットアクセス（ＨＳＵＰＡ）システム技術、ＬＴＥ／システムアーキテクチャエボリューション（ＳＡＥ）の３ＧＰＰ  Ｒｅｌ．８および９などが挙げられるが、これらに限定されない。実施形態はこの文脈において限定されない。
【０００５】
限定ではなく例示により、様々な３ＧＰＰ  ＬＴＥおよびＬＴＥ  ＡＤＶ規格を参照して様々な実施形態を説明することができる。様々な３ＧＰＰ  ＬＴＥおよびＬＴＥ  ＡＤＶ規格とは、３ＧＰＰ  ＬＴＥ進化型ＵＭＴＳ地上無線アクセスネットワーク（Ｅ‐ＵＴＲＡＮ）、ユニバーサル地上無線アクセス（Ｅ‐ＵＴＲＡ）およびＬＴＥ  ＡＤＶ無線技術３６シリーズの技術仕様（集合的に「ＬＴＥ仕様」）、ＩＥＥＥ８０２．１６‐２００９規格、「８０２．１６Ｒｅｖ３」と呼ばれ、規格８０２．１６‐２００９、８０２．１６ｈ‐２０１０、８０２．１６ｍ‐２０１１を統合するＩＥＥＥ８０２．１６に対する現在の現在の改訂第３版、および「ブロードバンド無線アクセスシステム用無線ＭＡＮアドバンストエアインタフェースに関するＩＥＥＥ規格へのドラフト修正、マシン‐マシン用途のサポート向上」という名称のＩＥＥＥＰ８０２．１６．１ｂ／Ｄ２、２０１２年１月を含むＩＥＥＥ８０２．１６ｐドラフト規格等のＩＥＥＥ８０２．１６規格（集合的に「ＩＥＥＥ８０２．１６規格」）、ならびに３ＧＰＰ  ＬＴＥ仕様およびＩＥＥＥ８０２．１６規格のドラフト、改訂版、または変形版などである。様々な実施形態は、２０１２年１月９日に発行された３ＧＰＰ技術レポート３２．８３４ｖ．１１．０．０に記載された１つまたは複数の技術、および／または「アイドルモードＵＥをサポートするインターＲＡＴ  ＥＳＭコンセプト」という名称で、２０１１年１０月１０〜１４日の３ＧＰＰ仕様グループＴＳＧ‐ＳＡ５会合Ｓ５‐７９に提出された３ＧＰＰ仕様グループＴＳＧ‐ＳＡ５文書Ｓ５‐１１３２０９に記載された１つまたは複数の技術による無線通信を含むとしてもよい。限定ではなく例示により、いくつかの実施形態を３ＧＰＰ  ＬＴＥ仕様またはＩＥＥＥ８０２．１６規格システムとして説明することができるが、通信システムの他のタイプが他の様々なタイプのモバイルブロードバンド通信システムおよびモバイルブロードバンド通信規格として実装され得ることを理解されたい。実施形態はこの文脈において限定されない。
【０００６】
１つまたは複数の無線接続を介する送信に加えて、またはこれに代えて、本明細書に開示する技術は、１つまたは複数の有線通信媒体による１つまたは複数の有線接続を介して、コンテンツを送信することを含むとしてもよい。有線通信媒体の例としては、ワイヤ、ケーブル、金属リード線、プリント回路基板（ＰＣＢ）、バックプレーン、スイッチファブリック、半導体材料、対撚りワイヤ、同軸ワイヤ、光ファイバなどが挙げられ得る。実施形態はこの文脈において限定されない。
【０００７】
ここで図面を参照するが、同一の符号は、終始、同一の要素を指すために用いられる。以下の説明において、完全な理解を提供するべく、説明のために多くの具体的詳細を記載する。しかし、新規な実施形態はこれらの具体的な詳細を用いずに実施し得ることが明らかであることがある。他の例において、周知の構造およびデバイスは、その説明を容易にするべく、ブロック図の形態で示す。その意図は、特許請求する主題に一致する全ての変形形態、均等物、および代替形態を包含させることである。
【０００８】
図１は、様々な実施形態によって省エネルギー管理アルゴリズムを実装することができる通信環境を表し得るものなど、通信環境１００の実施形態を例示する。図１に示すように、例示の通信環境１００は、モバイルデバイスインターフェースノード１０２、１０３、および１０４、モバイルデバイス１０６、１０８、１１０、および１１２、デバイス追跡ノード１５０、ならびにネットワーク管理ノード１５１を備える。モバイルデバイスインターフェースノード１０２は、特定の無線通信規格によって通信し、１つまたは複数の移動局、ハンドセット、ユーザ機器装置（ＵＥ）、および／または他のモバイルデバイスと直接に通信する動作するデバイスを備えてもよい。例えば、いくつかの実施形態において、モバイルデバイスインターフェースノード１０２は、上述のＬＴＥ仕様に基くＬＴＥ規格により通信し、かつ１つまたは複数のＵＥと直接に通信するように動作するｅＮｏｄｅＢを備えてもよい。モバイルデバイスインターフェースノード１０３は、モバイルデバイスインターフェースノード１０２として同一の規格により、通信するモバイルデバイスインターフェースノード１０２を備えてもよい。例えば、モバイルデバイスインターフェースノード１０２がＬＴＥ規格により通信するｅＮｏｄｅＢを備える実施形態において、モバイルデバイスインターフェースノード１０３は、同一のＬＴＥ規格により通信するｅＮｏｄｅＢも備えてもよい。モバイルデバイスインターフェースノード１０４は、モバイルデバイスインターフェースノード１０２および１０３が通信する無線通信規格とは異なる代替の無線通信規格により、通信するモバイルデバイスインターフェースノードを備えてもよい。様々な実施形態において、モバイルデバイスインターフェースノード１０４の代替の無線規格は、モバイルデバイスインターフェースノード１０２および１０３の無線規格についてはレガシ規格を含むとしてもよい。例えば、いくつかの実施形態において、モバイルデバイスインターフェースノード１０４は、ＧＳＭ（登録商標）基地局またはＵＭＴＳ  ＮｏｄｅＢ等、２Ｇまたは３Ｇのモバイルデバイスインターフェースノードを含むとしてもよい。実施形態はこれらの例に限定されない。
【０００９】
デバイス追跡ノード１５０は、１つまたは複数のモバイルデバイスおよび／またはモバイルデバイスインターフェースノードに対する追跡操作を行う通信ノードを備えてもよい。図１に示すように、デバイス追跡ノード１５０は複数のモバイルデバイスインターフェースノードに対する追跡サービスを提供し、複数のモバイルデバイスはそれらのモバイルデバイスインターフェースノードによってサービス提供してもよい。いくつかの実施形態において、デバイス追跡ノード１５０が提供する追跡サービスは、通信ネットワーク１００におけるモバイルデバイス１０６（モバイルデバイス１０６、１０８、１１０、および１１２など）の識別および状態、通信ネットワーク１００におけるモバイルデバイスインターフェースノード（モバイルデバイスインターフェースノード１０２、１０３、および１０４など）によるモバイルデバイスの登録およびモバイルデバイスインターフェースノード１０２によるモバイルデバイスのサービス、ならびに他の追跡サービスを追跡する段階を備えてもよい。デバイス追跡ノード１５０は、サービス提供する１つまたは複数のモバイルデバイスインターフェースノードが利用する通信規格により運用するアクセスネットワーク用のデバイス追跡ノードを備えてもよい。図１の例において、デバイス追跡ノード１５０は、モバイルデバイスインターフェースノード１０２および１０３に通信可能に結合し、モバイルデバイスインターフェースノード１０２および１０３に追跡サービスを提供する。様々な実施形態において、デバイス追跡ノード１５０は、ＬＴＥモビリティ管理エンティティ（ＭＭＥ）を含むとしてもよい。実施形態はこの文脈において限定されない。
【００１０】
ネットワーク管理ノード１５１は、デバイス追跡ノード１５０を提供および／もしくは構成するように動作する論理、プログラム、ならびに／または回路を備えてもよい。様々な実施形態において、ネットワーク管理ノード１５１は、通信ネットワーク１００の特性を記載する情報を生成および／または蓄積し、その情報に基いてデバイス追跡ノード１５０を提供および／または構成するように動作するとしてもよい。いくつかの実施形態において、ネットワーク管理ノード１５１は、デバイス追跡ノード１５０、モバイルデバイスインターフェースノード１０２、１０３、および／もしくは１０４等の１つもしくは複数のモバイルデバイスインターフェースノード、ならびに／またはモバイルデバイス１０６、１０８、１１０、および１１２等の１つもしくは複数のモバイルデバイスから、通信ネットワーク１００の特性を記載する情報を得てもよい。様々な実施形態において、ネットワーク管理ノード１５１は、オペレータポリシー１５２を規定、格納、および／または送信するように動作するとしてもよい。オペレータポリシー１５２は、通信システム１００内でモバイルデバイスインターフェースノード１０２、１０３、および１０４、ならびにモバイルデバイス１０６、１０８、１１０、および１１２によって、および／またはこれらの間で行われる操作および／または通信に適用される１つまたは複数のルールを含むとしてもよい。実施形態はこの文脈に限定されない。
【００１１】
モバイルデバイスインターフェースノード１０２は、省エネルギーモードにより非アクティブ化する候補であるモバイルデバイスインターフェースノードを備えてもよい。モバイルデバイスインターフェースノードは、１つまたは複数の省エネルギーモードトリガに基いて非アクティブ化する候補として識別してもよく、これによって１つまたは複数の省エネルギーモードトリガが生じるときに、モバイルデバイスインターフェースノードを非アクティブ化する候補として識別させる条件を記載することができる。例えば、モバイルデバイスインターフェースノードの省エネルギーモードトリガは、モバイルデバイスインターフェースノードの負荷しきい値を定義し、モバイルデバイスインターフェースノードの負荷が負荷しきい値未満に低下する場合に、モバイルデバイスインターフェースノードを省エネルギーモードにより非アクティブ化する候補として識別すると規定してもよい。例えば、いくつかの実施形態において、モバイルデバイスインターフェースノード１０２はＬＴＥ  ｅＮｏｄｅＢを備えてもよく、モバイルデバイスインターフェースノード１０２の省エネルギーモードトリガは、モバイルデバイスインターフェースノード１０２の負荷しきい値を定義し、モバイルデバイスインターフェースノード１０２の負荷が負荷しきい値未満に低下する場合に、ＬＴＥ仕様によるインター無線アクセス技術の省エネルギー管理（インターＲＡＴ  ＥＳＭ）モードと合わせて非アクティブ化する候補として、モバイルデバイスインターフェースノード１０２を識別すると規定してもよい。様々な実施形態において、１つまたは複数の省エネルギーモードトリガをオペレータポリシー１５２に規定してもよい。いくつかの実施形態において、モバイルデバイスインターフェースノードを省エネルギーモードにより非アクティブ化する候補として識別することは、時刻、負荷特性の履歴を記載する１つまたは複数の統計、または予測される将来の負荷特性を記載する１つもしくは複数の統計等の他の要因に依存することがある。実施形態はこれらの例に限定されない。
【００１２】
モバイルデバイス１０６、１０８、１１０、および１１２は、モバイルデバイスインターフェースノード１０２によってサービス提供され、モバイルデバイスインターフェースノード１０２の無線通信規格により通信することができるモバイルデバイスを備えてもよい。例えば、モバイルデバイスインターフェースノード１０２がＬＴＥ規格により通信するｅＮｏｄｅＢを備える実施形態において、モバイルデバイス１０６、１０８、１１０、および１１２は、ＬＴＥ規格により通信することができ、かつ、モバイルデバイスインターフェースノード１０２によってサービス提供されるモバイルデバイスを備えてもよい。いくつかの実施形態において、モバイルデバイス１０６、１０８、１１０、および１１２の１つまたは複数は、１つまたは複数の他のモバイルデバイスインターフェースノードと共に登録してもよい。モバイルデバイス１０６、１０８、１１０、および１１２の１つまたは複数は、モバイルデバイスインターフェースノード１０２によってサービス提供されるのと同時には、１つまたは複数の他のモバイルデバイスインターフェースノードによってサービス提供されない。例えば、様々な実施形態において、モバイルデバイス１０６は、モバイルデバイスインターフェースノード１０２と共に登録され、かつこれによってサービス提供され、また、モバイルデバイスインターフェースノード１０４と共に登録されるが、これによってサービス提供されないとしてもよい。実施形態はこの例に限定されない。
【００１３】
モバイルデバイス１０６および１０８は、アイドルモードにあるモバイルデバイスを備えてもよい。モバイルデバイスについては、アイドルモードは、モバイルデバイスが例えば、制御チャネルを介してモバイルデバイスインターフェースノードと制御情報を周期的に交換し得るが、音声および／またはデータ通信にアクティブに携わらない状態を含むとしてもよい。モバイルデバイスについて説明するべく、本明細書で使用するように、「アイドル」という用語はモバイルデバイスがアイドルモードにあることを意味することがある。いくつかの実施形態において、アイドルモードは、ＬＴＥ仕様によるアイドルモードを含むとしてもよい。様々な実施形態において、モバイルデバイス１０６および１０８は、ＬＴＥのアイドルモードにあり、モバイルデバイスインターフェースノード１０２によってサービス提供されるモバイルデバイスを備えてもよい。実施形態はこの文脈に限定されない。
【００１４】
サービングモバイルデバイスインターフェースノードのみと共に登録されたアイドルモバイルデバイスのサービングモバイルデバイスインターフェースノードを非アクティブ化すると、そのモバイルデバイスに対してサービスの中断が生じることがある。サービングモバイルデバイスインターフェースノードを非アクティブ化した後に、アイドルモバイルデバイスが制御送信を適切に処理および／または受信し得る前に、代替のモバイルデバイスインターフェースノードを識別し、及び／またはこれと共に登録する必要があるために、そのようなサービスの中断は生じる。しかし、通信ネットワーク１００によって表され得るものなど、いくつかの通信ネットワークにおいて、いくつかのアイドルモバイルデバイスは、アイドルモバイルデバイスを２つ以上のモバイルデバイスインターフェースノードと共に同時に登録することを可能にする低減されたシグナリングのアイドル状態に入ることができるとしてもよい。例えば、ＬＴＥネットワークにおいて、いくつかのアイドルモバイルデバイスは、ＬＴＥ  ｅＮｏｄｅＢおよびＧＳＭ（登録商標）基地局またはＵＭＴＳ  ＮｏｄｅＢと同時に登録される、アイドルモードシグナリングの低減（ＩＳＲ）状態に入ることができるとしてもよい。モバイルデバイスが低減されたシグナリングのアイドル状態に入り、従って複数のモバイルデバイスインターフェースノードとの同時の登録を維持し得るので、このことはサービングモバイルデバイスインターフェースノードを非アクティブ化する場合に、ネットワークによって活用され、事実上連続的なサービスをアイドルモバイルデバイスに提供してもよい。
【００１５】
そのような様々な通信ネットワークにおいて、特定のアイドルモバイルデバイスは低減されたシグナリングのアイドル状態にあってもよく、デバイス追跡ノード１５０等、デバイス追跡ノードに備わっている通信規格により動作するモバイルデバイスインターフェースノードと共に登録され、これによってサービス提供し、また、代替の規格により動作するモバイルデバイスインターフェースノードと共に登録してもよい。例えば、ＬＴＥネットワーク等の４Ｇネットワークにおける有能なモバイルデバイスは、ＬＴＥ  ｅＮｏｄｅＢ等の４Ｇモバイルデバイスインターフェースノードによってサービス提供され、これと共に登録され、また、ＧＳＭ（登録商標）基地局またはＵＭＴＳ  ＮｏｄｅＢ等の２Ｇまたは３Ｇモバイルデバイスインターフェースノードと共に登録されるとしてもよい。そのような例示的なアイドルモバイルデバイスがサービングモバイルデバイスインターフェースノードによってサービス提供され、かつ、これと共に登録されるのと同時に、アイドルモバイルデバイスを代替規格のモバイルデバイスインターフェースノードと共に登録することができれば、４Ｇモバイルデバイスインターフェースノードからのサービスが利用不可能なときに、共に登録される２Ｇまたは３Ｇモバイルデバイスインターフェースノードからサービスを得て、アイドルモバイルデバイスがサービスの中断を回避することを可能にする。実施形態はこの例に限定されない。
【００１６】
モバイルデバイス１０６は、持続可能なアイドルモバイルデバイスを備えてもよい。アイドルモバイルデバイスを記載するべく、本明細書で使用するように、「持続可能」という用語は、アイドルモバイルデバイスに現在サービス提供するモバイルデバイスインターフェースノードが非アクティブ化される場合に、アイドルモバイルデバイスは実際上連続的なサービスを実現することができることを意味することがある。いくつかの実施形態において、モバイルデバイスは、共に登録される代替のモバイルデバイスインターフェースノードからサービスを得て、実際上連続的なサービスを実現することができるとき、持続可能なモバイルデバイスを備えてもよい。そのような代替のモバイルデバイスインターフェースノードは、代替の無線通信規格により動作することができる。
【００１７】
アイドルモバイルデバイスが持続可能であるかどうかに影響し得る要因としては、モバイルデバイスが代替規格のモバイルデバイスインターフェースノードの範囲内に存在するかどうか、１つまたは複数の通信チャネルが利用可能であり、かつ十分に干渉を免れ、従ってモバイルデバイスが１つまたは複数の通信チャネルを用いて、代替規格のモバイルデバイスインターフェースノードと通信することができるかどうか、モバイルデバイスが代替規格のモバイルデバイスインターフェースノードの代替の規格により通信することができるかどうか、およびモバイルデバイスは代替規格のモバイルデバイスインターフェースノードと共に登録されているかどうかが挙げられ得る。モバイルデバイス１０６が持続可能なアイドルモバイルデバイスを備える例示的な実施形態において、モバイルデバイスインターフェースノード１０４は、ＧＳＭ（登録商標）またはＵＭＴＳ等の２Ｇまたは３Ｇ規格により動作する代替規格のモバイルデバイスインターフェースノードを備えてもよく、モバイルデバイス１０６は、モバイルデバイスインターフェースノード１０４の範囲内に存在し、モバイルデバイスインターフェースノード１０４と通信する使用可能な通信チャネルへのアクセスを有し、モバイルデバイスインターフェースノード１０４と共に登録されるとしてもよい。実施形態はこの例に限定されない。
【００１８】
モバイルデバイス１０８は、持続可能でないアイドルモバイルデバイスを備えてもよい。アイドルモバイルデバイスを説明するべく、本明細書で使用するように、「持続可能でない」という用語は、アイドルモバイルデバイスに現在サービス提供するモバイルデバイスインターフェースノードが非アクティブ化される場合に、アイドルモバイルデバイスが実際上連続的なサービスを実現することができないことを意味する。いくつかの要因が、アイドルモバイルデバイスが持続可能でないかどうかに影響することがある。例えば、代替規格のモバイルデバイスインターフェースノードと共に登録されない場合、範囲内の代替規格のモバイルデバイスインターフェースノードの代替の規格により通信することができない場合、アイドルモバイルデバイスが代替規格のモバイルデバイスインターフェースノードと通信し得る明確にかつ利用可能な通信チャネルが利用可能でないか、または他の要因に基く場合において、アイドルモバイルデバイスは、持続可能でないことがある。そのような一例において、モバイルデバイス１０８は、モバイルデバイスインターフェースノード１０４が利用するＧＳＭ（登録商標）またはＵＭＴＳ規格により通信することができないので、「ＬＴＥのみ」のモバイルデバイスを備えてもよく、持続可能でないアイドルモバイルデバイスを構成してもよい。実施形態はこの例に限定されない。
【００１９】
アイドルモバイルデバイスが持続可能かどうかに影響するいくつかの要因は、例えば、代替規格のモバイルデバイスインターフェースノードに対するモバイルデバイスの位置、通信チャネルの利用可能性、および干渉の存在等、潜在的に時間で変化する条件を含むことがあるため、アイドルモバイルデバイスが持続可能な状態と持続可能でないでない状態との間で切り替えることが可能であることは、留意に値する。例えば、代替規格のモバイルデバイスインターフェースノードの範囲内に存在しないため、時間Ｔ１において持続可能でないアイドルモバイルデバイスは、その後、代替規格のモバイルデバイスインターフェースノードの範囲内で移動し、時間Ｔ２において持続可能になってもよい。実施形態はこの例に限定されない。
【００２０】
モバイルデバイス１１０および１１２は、接続モードにあるモバイルデバイスを備えてもよい。モバイルデバイスに関しては、接続モードは、モバイルデバイスが音声および／またはデータ通信にアクティブに携り得る状態を含むとしてもよい。モバイルデバイスを説明するべく、本明細書で使用するように、「接続された」という用語は、モバイルデバイスが接続モードにあることを意味することがある。様々な実施形態において、接続モードは、ＬＴＥ仕様による接続モードを含むとしてもよい。いくつかの実施形態において、モバイルデバイス１１０および１１２は、ＬＴＥ接続モードにあり、モバイルデバイスインターフェースノード１０２によってサービス提供されるモバイルデバイスを備えてもよい。実施形態はこの文脈において限定されない。
【００２１】
モバイルデバイス１１０は、転送可能な接続されたモバイルデバイスを備えてもよい。接続されたモバイルデバイスを説明するべく、本明細書で使用するように、「転送可能」という用語は、接続されたモバイルデバイスが携わる音声および／またはデータ通信が、接続されたモバイルデバイスにサービス提供するモバイルデバイスインターフェースノードから異なるモバイルデバイスインターフェースノードへと、ハンドオフされ得ることを意味することがある。接続されたモバイルデバイスが転送可能かどうかに影響し得る要因としては、モバイルデバイスがモバイルデバイスにサービス提供するもの以外の任意のモバイルデバイスインターフェースノードの範囲内に存在するかどうか、１つまたは複数の通信チャネルが利用可能であり、かつ干渉を十分に免れ、従って、モバイルデバイスが通信チャネルを用いてそのような他のモバイルデバイスインターフェースノードと通信することができるかどうか、そのような他のモバイルデバイスインターフェースノードが利用する無線通信規格により、モバイルデバイスが通信できるかどうかが挙げられ得る。音声および／またはデータ通信が転送され得るモバイルデバイスインターフェースノードが、音声および／またはデータ通信を実行するモバイルデバイスが転送可能な接続されたモバイルデバイスを構成するために、モバイルデバイスインターフェースノードを転送し得るもの同一の無線規格により、必ずしも動作する必要がないことは、留意に値する。例えば、様々な実施形態において、モバイルデバイス１１０は、モバイルデバイスインターフェースノード１０４は代替の規格により動作するという事実にもかかわらず、モバイルデバイス１１０が携わる音声および／またはデータ通信がモバイルデバイスインターフェースノード１０２からモバイルデバイスインターフェースノード１０４にハンドオフされ得ない場合、転送可能な接続されたモバイルデバイスを備えてもよい。実施形態はこの例に限定されない。
【００２２】
モバイルデバイス１１２は、転送不可能な接続されたモバイルデバイスを備えてもよい。接続されたモバイルデバイスを説明するべく、本明細書で使用されるように、「転送不可能」という用語は、接続されたモバイルデバイスが携わる音声および／またはデータ通信が、接続されたモバイルデバイスにサービス提供するモバイルデバイスインターフェースノードから異なるモバイルデバイスインターフェースノードへと、ハンドオフされ得ることを意味することがある。いくつかの要因は、接続されたモバイルデバイスが転送不可能かどうかに影響することがある。例えば、接続されたモバイルデバイスは、サービス提供されるもの以外のモバイルデバイスインターフェースノードの範囲内に存在しない場合、通信チャネルが利用可能でなく、かつ、干渉を十分に免れておらず、従って、モバイルデバイスが通信チャネルを用いてそのような他のモバイルデバイスインターフェースノードと通信することができない場合、そのような他のモバイルデバイスインターフェースノードがモバイルデバイスが互換性のある規格により、または他の要因に基いて通信しない場合、転送不可能である場合がある。例えば、いくつかの実施形態において、モバイルデバイス１１２は、ＬＴＥのみのモバイルデバイスを備えてもよく、モバイルデバイスインターフェースノード１０２および１０３は、ＬＴＥ  ｅＮｏｄｅＢを備えてもよく、モバイルデバイスインターフェースノード１０４は、ＧＳＭ（登録商標）基地局またはＵＭＴＳ  ＮｏｄｅＢを備えてもよく、モバイルデバイス１１２は、モバイルデバイスインターフェースノード１０３の通信範囲外にあってもよい。そのような例示的な実施形態において、モバイルデバイス１１２がモバイルデバイスインターフェースノード１０３の範囲内に存在しないので、モバイルデバイス１１２の音声および／またはデータ通信をモバイルデバイスインターフェースノード１０２からモバイルデバイスインターフェースノード１０３へと、ハンドオフすることは可能でないことがあり、モバイルデバイス１１２がモバイルデバイスインターフェースノード１０４によって利用される無線通信規格と互換性がないため、そのような音声および／またはデータ通信をモバイルデバイスインターフェースノード１０２からモバイルデバイスインターフェースノード１０４へと、ハンドオフすることは可能でないことがある。従って、そのような例示的な実施形態において、モバイルデバイス１１２は、転送不可能な接続されたモバイルデバイスを備えてもよい。実施形態はこの例に限定されない。
【００２３】
図１において、配線されたバックホールを介して行うもの等、有線通信を示すべく、モバイルデバイスインターフェースノード１０２および１０３、デバイス追跡ノード１５０、ならびにネットワーク管理ノード１５１間の通信を実線で例示するが、これは単に例示的な実装であり、実施形態はこの文脈において限定されない。様々な実施形態において、モバイルデバイスインターフェースノード１０２および／もしくは１０３、デバイス追跡ノード１５０、ならびに／またはネットワーク管理ノード１５１の間の通信は、１つまたは複数の有線媒体、１つまたは複数の無線媒体、または双方の組み合わせを介して行ってもよい。更に、図１は代替規格のモバイルデバイスインターフェースノード１０４と図１の他の要素のいずれかとの間の通信線を例示しないが、そのような通信線は明瞭さのために省略されているだけである。モバイルデバイスインターフェースノード１０４は、１つまたは複数の有線媒体、１つまたは複数の無線媒体、または双方の組み合わせを介して、モバイルデバイスインターフェースノード１０２および／もしくは１０３、デバイス追跡ノード１５０、ならびに／またはネットワーク管理ノード１５１と通信してもよい。実施形態はこの文脈において限定されない。
【００２４】
図２は、図１に例示するもの等、通信環境における省エネルギー管理アルゴリズムの実装で使用され得る第１の装置２００の一実施形態を例示する。装置２００は、いくつかの実施形態による図１のものなど、デバイス追跡ノード１５０の例を備えてもよい。図２に示す装置２００は一定のトポロジにおいて、限定された数の要素を有するが、装置２００が所与の実装のために所望の代替のトポロジにおいて、より多いかまたはより少ない要素を含み得ることを理解されたい。
【００２５】
装置２００は、１つまたは複数のソフトウェアコンポーネント２２２‐ａを実行するように設定されたプロセッサ回路２２０を有するコンピュータ実装された装置２００を備えてもよい。本明細書で使用する「ａ」、「ｂ」、および「ｃ」、ならびに類似の標記は、任意の正の整数を表す変数であることを意図することは留意に値する。従って、例えば、実装がａ＝５の値を設定する場合、完全なセットのソフトウェアコンポーネント２２２‐ａは、コンポーネント２２２‐１、２２２‐２、２２２‐３、２２２‐４、および２２２‐５を含むとしてもよい。実施形態はこの文脈において限定されない。
【００２６】
様々な実施形態において、装置２００は、固定式装置に実装してもよい。通常、固定式装置は、時間を経て変わらない固定、静止、永続的、または他の移動しない態勢または位置にある設計された電子デバイスを指す。例えば、固定式装置は、固定具、アタッチメント、および筐体を用いて据え付け、配線された動力線、送信線等を含めて、移動を阻止してもよい。通常、固定式装置は静止しているが、いくつかの固定式装置は第１の固定位置にある現在の機器から切断して、第２の固定位置に移動し、第２の固定位置で機器に接続してもよいことを理解されたい。いくつかの他の実施形態において、装置２００は、モバイルデバイスとして実装してもよい。モバイルデバイスは、時間に渡って様々な位置間を頻繁に移動するのに十分に携帯可能なように設計される。様々な実施形態において、装置２００は、無線および／または有線の通信能力もしくは機器を有し、かつ、１つまたは複数の有線および／または無線無線通信規格に準拠する固定式またはモバイル電子デバイス内に実装してもよい。例えば、一実施形態において、装置は、１つまたは複数の３ＧＰＰ  ＬＴＥ仕様またはＩＥＥＥ８０２．１６規格に準拠するモバイル通信デバイスを備えてもよい。実施形態はこの文脈において限定されない。
【００２７】
装置２００は、プロセッサ回路２２０を備えてもよい。通常、プロセッサ回路２２０は、１つまたは複数のソフトウェアコンポーネント２２２‐ａを実行するように設定することができる。処理回路２２０は、ＡＭＤ（登録商標）のアスロン（登録商標）、デュロン（登録商標）、およびオプテロン（登録商標）のプロセッサ、ＡＲＭ（登録商標）のアプリケーション、埋め込みおよびセキュアプロセッサ、ＩＢＭ（登録商標）、モトローラ（登録商標）のドラゴンボール（登録商標）およびＰｏｗｅｒＰＣ（登録商標）プロセッサ、ＩＢＭおよびソニー（登録商標）のセルプロセッサ、インテル（登録商標）のセレロン（登録商標）、コア（２）デュオ（登録商標）、コアｉ３、コアｉ５、コアｉ７、アイテニアム（登録商標）、ペンティアム（登録商標）、ジーオン（登録商標）、およびエックススケール（登録商標）プロセッサ、および類似のプロセッサを含むが、これらに限定されない様々な市販のプロセッサのいずれであってもよい。デュアルマイクロプロセッサ、マルチコアプロセッサ、および他のマルチプロセッサアーキテクチャも処理ユニット２２０として利用してもよい。
【００２８】
様々な実施形態において、装置２００は、トランシーバ２２１を備えてもよい。トランシーバ２２１は、好適な様々な無線通信技術を用いて、信号を送信および受信することができる１つまたは複数の無線装置を含むとしてもよい。そのような技術は、１つまたは複数の無線ネットワーク全体での通信を含むとしてもよい。そのようなネットワーク全体で通信するときに、トランシーバ２２１は、図１の通信環境でモバイルデバイスインターフェースノード１０２、１０３、および／もしくは１０４、ならびに／またはモバイルデバイス１０６、１０８、１１０、および／もしくは１１２によって実装され得るものなど、１つまたは複数のモバイルブロードバンド通信規格により動作することができる。実施形態はこの文脈において限定されない。
【００２９】
装置２００は、通信コンポーネント２２２‐１を備えてもよい。いくつかの実施形態において、通信コンポーネント２２２‐１は、例えばモバイルデバイスインターフェースノード、モバイルデバイス、デバイス追跡ノードおよび／またはネットワーク管理ノード等、プロセッサ回路２２０によって１つまたは複数の通信デバイスとの通信を実行するべく設定してもよい。そのような様々な実施形態において、通信コンポーネント２２２‐１は、１つまたは複数のモバイルデバイス、モバイルデバイスインターフェースノード、デバイス追跡ノード、および／またはネットワーク管理ノードの状態を記載するデバイス追跡情報２２５を含む、１つまたは複数の送信を受信および／または送信するように動作することができる。特定のモバイルデバイスに関係するデバイス追跡情報２２５は、例えば、機能、位置、接続、例えばアイドルモードまたは接続モードの状態、ならびに／またはそのモバイルデバイスの識別を記載する情報を含むとしてもよい。図１に関する例示的な実施形態において、デバイス追跡情報２２５は、モバイルデバイス１０６が「ＵＥ♯１」の識別を有し、モバイルデバイスインターフェースノード１０２によってサービス提供され、アイドルモードにあることを示す情報を含むとしてもよい。いくつかの実施形態において、通信コンポーネント２２２‐１は、トランシーバ２２１で、デバイス追跡情報２２５を受信および／または送信するように動作することができる。実施形態はこれらの例に限定されない。
【００３０】
様々な実施形態において、デバイス追跡情報２２５は、サービス持続可能性情報２２６を生成するために使用可能としてもよい。サービス持続可能性情報２２６は、１つまたは複数のモバイルデバイスインターフェースノードによってサービス提供される１つまたは複数のモバイルデバイスを識別し、および／またはそのようなモバイルデバイスが、省エネルギーモードによりそれぞれのサービングモバイルデバイスインターフェースノードを非アクティブ化する場合にサービスの中断を被り得るかどうかを示す情報を含むとしてもよい。いくつかの実施形態において、サービス持続可能性情報２２６は、モバイルデバイスインターフェースノードによってサービス提供される１つまたは複数のモバイルデバイスが持続可能なアイドルモバイルデバイス、持続可能でないアイドルモバイルデバイス、転送可能な接続されたモバイルデバイス、および／または転送不可能な接続されたモバイルデバイスを備えるかどうかを示し、または決定するために使用可能な情報を含むとしてもよい。例示的な実施形態において、サービス持続可能性情報２２６は、図１のモバイルデバイス１０６がアイドルであり、モバイルデバイスインターフェースノード１０２によってサービス提供され、また代替規格のモバイルデバイスインターフェースノード１０４と共に登録され、従って持続可能なモバイルデバイスであることを示すことができる。この例示的な実施形態において、サービス持続可能性情報２２６は、また、図１のモバイルデバイス１０８がアイドルであり、モバイルデバイスインターフェースノード１０２によってサービス提供されるが、代替規格のモバイルデバイスインターフェースノードと共に登録されず、従って持続可能でないモバイルデバイスであることを示すことができる。実施形態はこれらの例に限定されない。
【００３１】
装置２００は、追跡コンポーネント２２２‐２を備えてもよい。様々な実施形態において、追跡コンポーネント２２２‐２は、プロセッサ回路２２０によってデバイス追跡情報２２５を受信、編成、処理、および／または格納することを実行するべく、設定されるとしてもよい。いくつかの実施形態において、追跡コンポーネント２２２‐２は、デバイス追跡情報２２５を蓄積するデバイス追跡テーブル２２４を保持する。様々な実施形態において、追跡コンポーネント２２２‐２は、１つまたは複数の特定のモバイルデバイスインターフェースノードによってサービス提供される特定のモバイルデバイスに関係するデバイス追跡情報２２５を受信、編成、処理、および／または格納するように動作することができる。図１に関する例示的な実施形態において、追跡コンポーネント２２２‐２は、モバイルデバイス１０６、１０８、１１０、および１１２に関するデバイス追跡情報２２５を受信、編成、処理、および／または格納するように動作し、それらの各々は、モバイルデバイスインターフェースノード１０２によってサービス提供されるとしてもよい。実施形態はこの例に限定されない。
【００３２】
図２は、第１のシステム２４０の一実施形態も例示することができる。システム２４０は、装置２００およびアンテナ２４２を備えてもよい。アンテナ２４２は、内部アンテナ、外部アンテナ、モノポールアンテナ、メアンダモノポールアンテナ、ダイポールアンテナ、平衡型アンテナ、プリントヘリカルアンテナ、チップアンテナ、セラミックアンテナ、板状逆Ｆアンテナ（ＰＩＦＡ）、ヘリカルアンテナ、先端給電型アンテナ、全方向性アンテナ、円偏波アンテナ、マイクロストリップアンテナ、ダイバーシティアンテナ、デュアルアンテナ、アンテナアレイ、その他を備えてもよい。いくつかの実施形態において、システム２４０は、トランシーバ２２６およびアンテナ２４２を用いてデバイス追跡情報２２５を受信および／または送信するように動作することができる。実施形態はこの文脈において限定されない。
【００３３】
装置２００および／またはシステム２４０の様々なコンポーネントは、様々なタイプの通信媒体によって互いに通信可能に結合され、動作を調整するとしてもよい。調整には情報の一方向または双方向の交換を伴うことがある。例えば、コンポーネントは、通信媒体を介して通信された信号の形態で情報を通信してもよい。情報は、様々な信号線に対して割り当てられた信号として実装してもよい。そのような割り当てにおいて、各メッセージは信号である。しかし、更なる実施形態は、代替的にデータメッセージを利用してもよい。そのようなデータメッセージを様々な接続で送信してもよい。例示的な接続としては、パラレルインターフェース、シリアルインターフェース、およびバスインターフェースが挙げられる。実施形態はこの文脈に限定されない。
【００３４】
通常、装置２００および／またはシステム２４０は、デバイス追跡情報２２５および／またはサービス持続可能性情報２２６を受信、更新、および／または蓄積し、省エネルギー管理アルゴリズムの実装と共にサービス持続可能性情報２２６を１つまたは複数のモバイルデバイスインターフェースノード、デバイス追跡ノード、および／またはネットワーク管理ノードに送信するように動作することができる。例えば、様々な実施形態において、通信コンポーネント２２２‐１は、１つまたは複数のモバイルデバイスインターフェースノード２３２‐ｓ、ネットワーク管理ノード２３４、および／または１つまたは複数の代替規格のモバイルデバイスインターフェースノード２３６‐ｔからトランシーバ２２１を介してデバイス追跡情報２２５を受信してもよい。いくつかの実施形態において、デバイス追跡情報は、１つまたは複数の接続されたモバイルデバイス２３８‐ｕ、ならびに／または１つまたは複数のモバイルデバイスインターフェースノード２３２‐ｓ、および／または１つもしくは複数の代替規格のモバイルデバイスインターフェースノード２３６‐ｔによってサービス提供され、および／またはこれらと共に登録される１つまたは複数のアイドルモバイルデバイス２３９‐ｖの機能、位置、アイドルもしくは接続モード状態、および／または識別を記載する情報を含むとしてもよい。様々な実施形態において、装置２００および／またはシステム２４０は、ＬＴＥ  ＭＭＥ等の４Ｇデバイス追跡ノードを備えてもよい。いくつかのそのような実施形態において、モバイルデバイスインターフェースノード２３２‐ｓは、ＬＴＥ  ｅＮｏｄｅＢ等の１つまたは複数の４Ｇモバイルデバイスインターフェースノードを備えてもよく、代替規格のモバイルデバイスインターフェースノード２３６‐ｔは、ＧＳＭ（登録商標）基地局またはＵＭＴＳ  ＮｏｄｅＢ等の１つまたは複数の２Ｇまたは３Ｇのモバイルデバイスインターフェースノードを備えてもよい。実施形態はこの文脈において限定されない。
【００３５】
様々な実施形態において、追跡コンポーネント２２２‐２は、モバイルデバイスインターフェースノード２３２‐ｓによってサービス提供される１つまたは複数のアイドルモバイルデバイス２３９‐ｖが持続可能なアイドルモバイルデバイスまたは持続可能でないアイドルモバイルデバイスを備えるかどうかを判断するべく、使用可能なデバイス追跡情報２２５を受信するように動作することができる。いくつかのそのような実施形態において、デバイス追跡情報２２５は、モバイルデバイスインターフェースノード２３２‐ｓによってサービス提供される１つまたは複数のアイドルモバイルデバイス２３９‐ｖが代替規格のモバイルデバイスインターフェースノード２３６‐ｔと共に登録もされているかどうかを示し、あるいは判断するために使用可能な情報を含むとしてもよい。より具体的には、様々な実施形態において、デバイス追跡情報２２５は、モバイルデバイスインターフェースノード２３２‐ｓによってサービス提供される１つまたは複数のアイドルモバイルデバイス２３９‐ｖが低減されたシグナリングのアイドル状態にあるかどうかを示し、あるいは判断するために使用可能な情報を含むとしてもよく、これは同様に、１つまたは複数のアイドルモバイルデバイス２３９‐ｖが代替規格のモバイルデバイスインターフェースノード２３６‐ｔと共に登録もされているかどうかを判断するために使用可能としてもよい。例えば、モバイルデバイスインターフェースノード２３２‐ｓがＬＴＥ  ｅＮｏｄｅＢを備えるいくつかの実施形態において、デバイス追跡情報２２５は、モバイルデバイスインターフェースノード２３２‐ｓによってサービス提供される１つまたは複数のアイドルモバイルデバイス２３９‐ｖがアイドルモードシグナリングの低減（ＩＳＲ）状態にあることを示す情報を含むとしてもよく、これは同様に、１つまたは複数のアイドルモバイルデバイス２３９‐ｖが１つまたは複数の代替規格のモバイルデバイスインターフェースノード２３６‐ｔと共に登録もされ、従って持続可能なアイドルモバイルデバイスであることを決定するために使用可能としてもよい。実施形態はこの例に限定されない。
【００３６】
様々な実施形態において、追跡コンポーネント２２２‐２は、モバイルデバイスインターフェースノード２３２‐ｓによってサービス提供される１つまたは複数のアイドルモバイルデバイス２３９‐ｖが低減されたシグナリングのアイドル状態と一致する制御メッセージを送信しているかどうかを示すデバイス追跡情報２２５を受信するように動作することができる。この情報は、１つまたは複数のアイドルモバイルデバイス２３９‐ｖが低減されたシグナリングのアイドル状態にあるかどうかを判断するために使用可能としてもよく、これは同様に、１つまたは複数のアイドルモバイルデバイス２３９‐ｖが１つまたは複数の代替規格のモバイルデバイスインターフェースノード２３６‐ｔと共に登録されているかどうかを示すことができる。例えば、ＬＴＥネットワークを備える例示的な実施形態において、ＩＳＲアクティブ状態にあるアイドルモバイルデバイス２３９‐ｖは、追跡区域更新（ＴＡＵ）を関連するＭＭＥに送信し、例えばサービング汎用パケット無線サービス支援ノード（ＳＧＳＮ）等、ルーティング区域更新を関連する代替規格のデバイス追跡ノードを送信してもよい。そのような例示的な実施形態において、デバイス追跡情報２２５は、１つまたは複数のアイドルモバイルデバイス２３９‐ｖがＴＡＵおよび／またはＲＡＵを送信しているかどうかを示す情報を含むとしてもよい。この情報は、１つまたは複数のアイドルモバイルデバイス２３９‐ｖがＩＳＲアクティブ状態またはＩＳＲ非アクティブ状態にあるかどうかを判断するために使用可能としてもよい。例えば、アイドルモバイルデバイス２３９‐ｖがＴＡＵを送信するが、ＲＡＵを送信していないことを示すデバイス追跡情報２２５は、アイドルモバイルデバイス２３９‐ｖがＩＳＲ非アクティブ状態にあることを判断するために使用可能としてもよい。同様に、この判断は、アイドルモバイルデバイス２３９‐ｖが代替規格のモバイルデバイスインターフェースノード２３６‐ｔと共に登録されておらず、従って持続可能でないアイドルモバイルデバイスであることを判断するために用いられるとしてもよい。実施形態はこの例に限定されない。
【００３７】
いくつかの実施形態において、追跡コンポーネント２２２‐２は、モバイルデバイスインターフェースノード２３２‐ｓによってサービス提供される１つまたは複数の接続されたモバイルデバイス２３８‐ｕが転送可能な接続されたモバイルデバイスまたは転送不可能な接続されたモバイルデバイスを備えるかどうかを判断するために使用可能なデバイス追跡情報２２５を受信するように動作することができる。そのような様々な実施形態において、そのようなデバイス追跡情報２２５は、１つまたは複数の接続されたモバイルデバイス２３８‐ｕを１つまたは複数のモバイルデバイスインターフェースノード２３２‐ｓおよび／または代替規格のモバイルデバイスインターフェースノード２３６‐ｔにハンドオフすることが可能になるか、または可能にならないことを示すことができる。例えば、デバイス追跡情報は、モバイルデバイスインターフェースノード２３２‐ｓが接続されたモバイルデバイス２３８‐ｕにサービス提供する範囲内のみに接続されたモバイルデバイス２３８‐ｕが存在し、その他のモバイルデバイスインターフェースノード２３２‐ｓまたは代替規格のモバイルデバイスインターフェースノード２３６‐ｔの範囲内に存在せず、従って接続されたモバイルデバイス２３８‐ｕをモバイルデバイスインターフェースノード２３２‐ｓおよび／または代替規格のモバイルデバイスインターフェースノード２３６‐ｔにハンドオフすることが可能でなく、よってモバイルデバイス２３８‐ｕが転送不可能な接続されたモバイルデバイスであることを示すことができる。他の実施形態において、デバイス追跡情報２２５は、１つまたは複数の接続されたモバイルデバイス２３８‐ｕを１つまたは複数のモバイルデバイスインターフェースノード２３２‐ｓおよび／または代替規格のモバイルデバイスインターフェースノード２３６‐ｔにハンドオフする１つまたは複数の試みが成功であったか、および／または不成功であったかを示すことができる。例えば、デバイス追跡情報は、接続されたモバイルデバイス２３８‐ｕをモバイルデバイスインターフェースノード２３２‐ｓから異なるモバイルデバイスインターフェースノード２３２‐ｓにハンドオフする試みが成功であったことを示すことができる。実施形態はこれらの例に限定されない。
【００３８】
上記のように、いくつかの実施形態において、追跡コンポーネント２２２‐２は、デバイス追跡テーブル２２４内にデバイス追跡情報２２５を格納するように動作することができる。図３Ａは、様々な実施形態による、図２のデバイス追跡テーブル２２４を表し得るデバイス追跡テーブルの実施形態３００を例示する。図３Ａに示すように、デバイス追跡テーブル３００は、エントリ３０１、３０３、３０５、３０７、および３０９を備えてもよい。エントリ３０１、３０３、３０５、３０７、および３０９の各々は、特定のモバイルデバイスを識別するモバイルデバイス識別（ＩＤ）を含むとしてもよい。エントリ３０１、３０３、３０５、３０７、および３０９の各々は、それぞれの追跡情報３０２、３０４、３０６、３０８、および３１０も含むとしてもよく、それぞれの追跡情報は、機能、位置、アイドルもしくは接続モード状態、および／またはそれぞれのモバイルデバイスＩＤであるＭＤ‐Ａ、ＭＤ‐Ｂ、ＭＤ‐Ｃ、ＭＤ‐Ｄ、およびＭＤ‐Ｅに対応するモバイルデバイスの他の特性を記載してもよい。例えば、エントリ３０１は、機能、位置、アイドルもしくは接続モード状態、および／またはモバイルデバイスＩＤであるＭＤ‐Ａに対応するモバイルデバイスの他の特性を記載するモバイルデバイスＩＤであるＭＤ‐Ａおよび追跡情報３０２を含むとしてもよい。実施形態はこの例に限定されない。
【００３９】
図３Ｂは、いくつかの実施形態による、図２のデバイス追跡テーブル２２４を表し得るデバイス追跡テーブルの第２の実施形態３２０を例示する。図３Ｂに示すように、デバイス追跡テーブル３２０は、エントリ３２１、３２３、３２５、３２７、および３２９を含むとしてもよい。エントリ３２１、３２３、３２５、３２７、および３２９の各々は、特定のモバイルデバイスを識別するモバイルデバイスＩＤ、モバイルデバイスのモード、そのモバイルデバイスにサービス提供するモバイルデバイスインターフェースノードを識別するサービングモバイルデバイスインターフェースノード（ＭＤＩＮ）ＩＤ、およびそのモバイルデバイスについて、低減されたシグナリングの状態がアクティブか、アクティブでないかを示す低減シグナリング（ＲＳ）値を含むとしてもよい。例えば、エントリ３２１は、モバイルデバイスＩＤであるＭＤ‐Ａを含み、モバイルデバイスＩＤであるＭＤ‐Ａに対応するモバイルデバイスがアイドルモードにあり、モバイルデバイスインターフェースノードＩＤであるＭＤＩＮ♯１に対応するモバイルデバイスインターフェースノードによってサービス提供され、低減されたシグナリングのアクティブ状態にあることを示すことができる。様々な実施形態において、そのような低減されたシグナリングのアクティブ状態は、ＩＳＲアクティブ状態を含むとしてもよい。実施形態はこの例に限定されない。
【００４０】
図３Ｃは、様々な実施形態による、図２のデバイス追跡テーブル２２４を表し得るデバイス追跡テーブルの第３の実施形態３４０を例示する。図３Ｃに示すように、デバイス追跡テーブル３４０は、エントリ３４１、３４３、および３４５を含むとしてもよい。エントリ３４１、３４３、および３４５の各々は、特定のモバイルデバイスを識別するモバイルデバイスＩＤ、モバイルデバイスのモード、そのモバイルデバイスにサービス提供するモバイルデバイスインターフェースノードを識別するサービングモバイルデバイスインターフェースノード（ＭＤＩＮ）ＩＤ、およびモバイルデバイスのハンドオフが可能であるか、または可能でないかどうかを示すハンドオフ条件値を含むとしてもよい。例えば、エントリ３４１は、モバイルデバイスＩＤであるＭＤ‐Ｆを含み、モバイルデバイスＩＤであるＭＤ‐Ｆに対応するモバイルデバイスが接続モードにあり、モバイルデバイスインターフェースノードＩＤであるＭＤＩＮ♯１に対応するモバイルデバイスインターフェースノードによってサービス提供され、そのモバイルデバイスのハンドオフが可能であることを示すことができる。実施形態はこの例に限定されない。
【００４１】
図２に戻ると、いくつかのそのような実施形態において、デバイス追跡情報２２５を格納する段階は、デバイス追跡テーブル２２４内にすでに格納されたデバイス追跡情報２２５を修正する段階と、削除する段階と、またはこれに追加する段階とを備えてもよい。例えば、図３Ａのデバイス追跡テーブル３００に関して、デバイス追跡情報２２５を格納する段階は、例えば、エントリ３０１を修正する段階と、エントリ３０３を追加する段階と、および／またはエントリ３０５を削除する段階とを備えてもよい。追跡コンポーネント２２２‐２が受信したデバイス追跡情報２２５に基いてデバイス追跡テーブル２２４内の１つまたは複数のエントリを追加、修正、および／または削除するように動作するかどうかは、デバイス追跡情報２２５が対応するモバイルデバイスの特性に依存することがある。例えば、デバイス追跡情報２２５がモバイルデバイスインターフェースノード２３２‐ｓによってサービス提供され、モバイルデバイスインターフェースノード２３２‐ｓのうちの１つと共に登録され、従って、それに対してデバイス追跡テーブル２２４内に対応するエントリが存在しない領域につい最近入った、モバイルデバイスに関する場合、追跡コンポーネント２２２‐２は、そのモバイルデバイスに対応するエントリを追加し、デバイス追跡テーブル２２４内にデバイス追跡情報２２５を格納するように動作することができる。別の例において、デバイス追跡情報２２５がモバイルデバイスインターフェースノード２３２‐ｓのうちの１つと共に登録され、それに対してデバイス追跡テーブル２２４内に対応するエントリが存在するモバイルデバイスに関する場合、追跡コンポーネント２２２‐２は、そのモバイルデバイスに対応する既存のエントリを修正して、デバイス追跡テーブル２２４内にデバイス追跡情報２２５を格納するように動作することができる。なおも別の例において、デバイス追跡情報２２５がモバイルデバイスインターフェースノード２３２‐ｓによってサービス提供された領域を出て、モバイルデバイスインターフェースノード２３２‐ｓのいずれかと共に登録されていないモバイルデバイスに関する場合、追跡コンポーネント２２２‐２は、その起点のモバイルデバイスに対応する、デバイス追跡テーブル２２４内の既存のエントリを削除して、この事実を示すデバイス追跡情報２２５を格納するように動作することができる。実施形態はこれらの例に限定されない。
【００４２】
装置２００および／またはシステム２４０がＬＴＥネットワーク内のＭＭＥ等のデバイス追跡ノードを備える様々な実施形態において、追跡コンポーネント２２２‐２は、１つまたは複数のアイドルモバイルデバイス２３９‐ｖがＴＡＵおよび／またはをＲＡＵ送信しているかどうかを示すデバイス追跡情報２２５を受信するように動作することができ、このデバイス追跡情報２２５に基いてデバイス追跡テーブル２２４内の１つまたは複数のエントリを追加、修正、および／または削除してもよい。例示的な実施形態において、デバイス追跡情報２２５は、アイドルモバイルデバイス２３９‐ｖがＴＡＵおよびＲＡＵの双方を送信していることを示す情報を含むとしてもよく、これは同様に、アイドルモバイルデバイス２３９‐ｖがモバイルデバイスインターフェースノード２３２‐ｓおよび代替規格のモバイルデバイスインターフェースノード２３６‐ｔの双方と共に登録され、従ってアクティブなＩＳＲ状態にあることを示すことができる。このデバイス追跡情報２２５に基いて、アイドルモバイルデバイス２３９‐ｖがアクティブでないＩＳＲ状態にあることをデバイス追跡テーブル２２４へのエントリが示す場合、追跡コンポーネント２２２‐２は、そのエントリを修正し、アイドルモバイルデバイス２３９‐ｖがアクティブなＩＳＲ状態にあることを示すように動作することができる。
【００４３】
別の例示的な実施形態において、デバイス追跡情報２２５は、ＴＡＵタイマの終了前にアイドルモバイルデバイス２３９‐ｖからＴＡＵを受信するが、ＲＡＵタイマの終了前にアイドルモバイルデバイス２３９‐ｖからＲＡＵを受信しないことを示す情報を含むとしてもよい。同様に、これによりアイドルモバイルデバイス２３９‐ｖがモバイルデバイスインターフェースノード２３２‐ｓと共に登録されるが、代替規格のモバイルデバイスインターフェースノード２３６‐ｔと共には登録されず、従ってＩＳＲ非アクティブ状態にあることを示すことができる。このデバイス追跡情報２２５に基いて、アイドルモバイルデバイス２３９‐ｖがＩＳＲアクティブ状態にあることをデバイス追跡テーブル２２４へのエントリが示す場合、追跡コンポーネント２２２‐２は、そのエントリを修正し、アイドルモバイルデバイス２３９‐ｖがＩＳＲ非アクティブ状態にあること示すように動作することができる。
【００４４】
別の例示的な実施形態において、デバイス追跡情報２２５は、ＴＡＵタイマの終了前にアイドルモバイルデバイス２３９‐ｖからＴＡＵを受信することを示す情報を含み、これは同様に、アイドルモバイルデバイス２３９‐ｖが特定のモバイルデバイスインターフェースノード２３２‐ｓによってサービス提供されることを示すことができる。このデバイス追跡情報２２５に基いて、アイドルモバイルデバイス２３９‐ｖが異なるモバイルデバイスインターフェースノード２３２‐ｓによってサービス提供されることをデバイス追跡テーブル２２４へのエントリが示す場合、追跡コンポーネント２２２‐２は、そのエントリを修正し、アイドルモバイルデバイス２３９‐ｖがＴＡＵにおいて識別される特定のモバイルデバイスインターフェースノード２３２‐ｓによってサービス提供されることを示すように動作することができる。
【００４５】
別の例示的な実施形態において、デバイス追跡情報２２５は、ＴＡＵがアイドルモバイルデバイス２３９‐ｖによって送信され、これに対して対応するエントリがデバイス追跡テーブル２２４内に存在しないことを示す情報を含むとしてもよく、これは同様に、アイドルモバイルデバイス２３９‐ｖが装置および／またはシステム２４０に対応する受信範囲エリアに最近入ったことを示すことができる。このデバイス追跡情報２２５に基いて、追跡コンポーネント２２２‐２は、アイドルモバイルデバイス２３９‐ｖに対応するエントリをデバイス追跡テーブル２２４に追加するように動作することができる。そのような例示的な実施形態において、追跡コンポーネント２２２‐２は、アイドルモバイルデバイスが特定のモバイルデバイスインターフェースノード２３２‐ｓによってサービス提供され、アクティブでないＩＳＲ状態にあることを示すデバイス追跡テーブル２２４にエントリを追加するように動作することができる。
【００４６】
別の例示的な実施形態において、デバイス追跡情報２２５は、ＴＡＵタイマが終了する前に、アイドルモバイルデバイス２３９‐ｖからＴＡＵを受信しないことを示す情報を含むとしてもよく、これは同様に、アイドルモバイルデバイス２３９‐ｖが電源をオフにされ、または装置２００および／またはシステム２４０に対応する受信範囲エリア外に移動したことを示すことができる。このデバイス追跡情報２２５に基いて、追跡コンポーネント２２２‐２は、アイドルモバイルデバイス２３９‐ｖに対応するエントリをデバイス追跡テーブル２２４から削除するように動作することができる。実施形態はこれらの例に限定されない。
【００４７】
いくつかの実施形態において、通信コンポーネント２２２‐１は、１つまたは複数のサービス持続可能性情報クエリ２３０‐ｘを１つまたは複数のモバイルデバイスインターフェースノード２３２‐ｓおよび／またはネットワーク管理ノード２３４から受信するように動作することができる。サービス持続可能性情報クエリ２３０‐ｘは、省エネルギーモードによりモバイルデバイスインターフェースノード２３２‐ｓを非アクティブ化する場合に、モバイルデバイスインターフェースノード２３２‐ｓによってサービス提供される１つもしくは複数のアイドルモバイルデバイス２３９‐ｖ、および／または１つもしくは複数の接続されたモバイルデバイス２３８‐ｕがサービスの中断を被ることになるかどうかを示す情報の要求を含むことができる。様々な実施形態において、サービス持続可能性情報クエリ２３０‐ｘは、モバイルデバイスインターフェースノード２３２‐ｓによってサービス提供される１つまたは複数のアイドルモバイルデバイス２３９‐ｖが持続可能なアイドルモバイルデバイスまたは持続可能でないアイドルモバイルデバイスを備えるかどうか、および／またはモバイルデバイスインターフェースノード２３２‐ｓによってサービス提供される１つもしくは複数の接続されたモバイルデバイス２３８‐ｕが転送可能な接続されたモバイルデバイスまたは転送不可能な接続されたモバイルデバイスを備えるかどうかを示す情報の要求を含むとしてもよい。実施形態は、この文脈において限定されない。
【００４８】
いくつかの実施形態において、追跡コンポーネント２２２‐２は、デバイス追跡情報２２５に基き、かつ、１つまたは複数のサービス持続可能性情報クエリ２３０‐ｘに応答して、通信コンポーネント２２２‐１が１つまたは複数のモバイルデバイスインターフェースノード２３２‐ｓおよび／またはネットワーク管理ノード２３４に送信するサービス持続可能性情報２２６を生成するように動作することができる。サービス持続可能性情報２２６は、省エネルギーモードによりモバイルデバイスインターフェースノード２３２‐ｓを非アクティブ化する場合に、モバイルデバイスインターフェースノード２３２‐ｓによってサービス提供される１つもしくは複数のアイドルモバイルデバイス２３９‐ｖ、および／または１つもしくは複数の接続されたモバイルデバイス２３８‐ｕがサービスの中断を被ることになるかどうかを示す情報を含むとしてもよい。様々な実施形態において、サービス持続可能性情報２２６は、モバイルデバイスインターフェースノード２３２‐ｓによってサービス提供される１つまたは複数のアイドルモバイルデバイス２３９‐ｖが持続可能なアイドルモバイルデバイスまたは持続可能でないアイドルモバイルデバイスを備えるかどうか、および／またはモバイルデバイスインターフェースノード２３２‐ｓによってサービス提供される１つまたは複数の接続されたモバイルデバイス２３８‐ｕが転送可能な接続されたモバイルデバイスまたは転送不可能な接続されたモバイルデバイスを備えるかどうかを示す情報を含むとしてもよい。実施形態はこの文脈において限定されない。
【００４９】
いくつかの実施形態において、サービス持続可能性情報２２６は、モバイルデバイスインターフェースノード２３２‐ｓの持続可能でないアイドルデバイスカウントを含むことができる。モバイルデバイスインターフェースノード２３２‐ｓの持続可能でないアイドルデバイスカウントは、持続可能でないアイドルデバイスであるモバイルデバイスインターフェースノード２３２‐ｓによってサービス提供される、アイドルモバイルデバイス２３９‐ｖの数を示してもよい。様々な実施形態において、サービス持続可能性情報２２６は、モバイルデバイスインターフェースノード２３２‐ｓの転送不可能な接続されたデバイスのカウントを含むとしてもよい。モバイルデバイスインターフェースノード２３２‐ｓの転送不可能な接続されたデバイスのカウントは、転送不可能な接続されたモバイルデバイスであるモバイルデバイスインターフェースノード２３２‐ｓによってサービス提供される接続されたモバイルデバイス２３８‐ｕの数を示すことができる。様々な実施形態において、１つまたは複数のモバイルデバイスインターフェースノード２３２‐ｓおよび／またはネットワーク管理ノード２３４は、サービス持続可能性情報２２６を受信して、サービス持続可能性情報２２６に基いてモバイルデバイスインターフェースノード２３２‐ｓの持続可能でないアイドルデバイスカウントを決定するように動作することができる。様々なそのような実施形態において、サービス持続可能性情報２２６は、持続可能でないアイドルデバイスカウントを含まないことがあるが、１つもしくは複数のモバイルデバイスインターフェースノード２３２‐ｓ、および／またはネットワーク管理ノード２３４は、モバイルデバイスインターフェースノード２３２‐ｓによってサービス提供される１つまたは複数のモバイルデバイスについて接続状態のセットを記載するサービス持続可能性情報２２６の中の情報に基いて、モバイルデバイスインターフェースノード２３２‐ｓの持続可能でないアイドルデバイスカウントを決定するように動作することができる。実施形態はこの文脈において限定されない。
【００５０】
いくつかの実施形態において、通信コンポーネント２２２‐１は、１つまたは複数のサービス持続可能性情報クエリ２３０‐ｘを１つまたは複数のモバイルデバイスインターフェースノード２３２‐ｓおよび／またはネットワーク管理ノード２３４から受信したことに応答して、サービス持続可能性情報２２６を、１つもしくは複数のモバイルデバイスインターフェースノード２３２‐ｓおよび／またはネットワーク管理ノード２３４に送信するように動作することができる。例示的な実施形態において、通信コンポーネント２２２‐１は、サービス持続可能性情報クエリ２３０‐ｘをネットワーク管理ノード２３４から受信したことに応答して、モバイルデバイスインターフェースノード２３２‐ｓの持続可能でないアイドルデバイスカウントを含むサービス持続可能性情報２２６を、ネットワーク管理ノード２３４に送信するように動作することができる、そのような例示的な実施形態において、モバイルデバイスインターフェースノード２３２‐ｓがＬＴＥ  ｅＮｏｄｅＢを備える場合、持続可能でないアイドルデバイスカウントは、アクティブでないＩＳＲモードにあるモバイルデバイスインターフェースノード２３２‐ｓによってサービス提供されるアイドルモバイルデバイス２３９‐ｖの数を含むとしてもよい。実施形態はこの例に限定されない。
【００５１】
開示されるアーキテクチャの新規の態様を実施する例示的な方法論を表す１つまたは複数の論理フローが、本明細書に含まれる。簡明な説明のために言えば、本明細書に示す１つまたは複数の方法論を一連の動作として示し、説明するが、当業者は本方法論が動作の順序によって限定されないことを理解するであろう。いくつかの動作は、それによって、異なる順序および／または本明細書に示し、説明するものと異なる動作と同時に行われることがある。例えば、当業者は、別法では方法論を状態図等に一連の相互に関連した状態または事象として表すことができることを理解するであろう。更に、ある方法論において例示される動作全てが新規の実装に要求される訳ではないことがある。
【００５２】
論理フローは、ソフトウェア、ファームウェア、および／またはハードウェアで実装することができる。ソフトウェアおよびファームウェアの実施形態において、論理フローは、光、磁気、または半導体ストレージ等の非一時的なコンピュータ可読媒体または機械可読媒体に格納されたコンピュータ実行可能な命令によって実装することができる。実施形態はこの文脈において限定されない。
【００５３】
図４は、図２の装置２００および／またはシステム２４０等、本明細書に記載する１つまたは複数の実施形態によって実行されるいくつかまたは全ての動作を表し得る論理フロー４００の実施形態を例示する。より具体的には、論理フロー４００は、装置２００および／またはシステム２４０内の通信コンポーネント２２２‐１、および／または追跡コンポーネント２２２‐２によって実装することができる。
【００５４】
図４に示す例示的な実施形態において、論理フロー４００は４０２で開始することができ、デバイス追跡情報が受信され得る。例えば、図２の通信コンポーネント２２２‐１は、１つもしくは複数のモバイルデバイスインターフェースノード２３２‐ｓおよび／またはネットワーク管理ノード２３４からデバイス追跡情報２２５を受信することができる。４０４で、デバイス追跡情報をデバイス追跡テーブルに追加してもよい。例えば、図２の追跡コンポーネント２２２‐２は、デバイス追跡情報２２５をデバイス追跡テーブル２２４に追加することができる。４０６で、サービス持続可能性情報クエリを受信することができる。例えば、図２の通信コンポーネント２２２‐１は、サービス持続可能性情報クエリ２３０‐ｘを、モバイルデバイスインターフェースノード２３２‐ｓまたはネットワーク管理ノード２３４から受信することができる。４０８で、サービス持続可能性情報を生成することができる。例えば、図２の追跡コンポーネント２２２‐２は、デバイス追跡テーブル２２５およびサービス持続可能性情報クエリ２３０‐ｘに基いてサービス持続可能性情報２２６を生成することができる。４１０で、サービス持続可能性情報を送信することができる。例えば、図２の通信コンポーネント２２２‐１は、サービス持続可能性情報２２６を、モバイルデバイスインターフェースノード２３２‐ｓまたはネットワーク管理ノード２３４に送信することができる。実施形態はこれらの例に限定されない。
【００５５】
図５は、図１に例示されるもの等の通信環境内で、ならびに／または図２の装置２００および／もしくはシステム２４０と共に、省エネルギー管理アルゴリズムの実装において使用され得る第２の装置５００の一実施形態を例示する。装置５００は、様々な実施形態による、図１のネットワーク管理ノード１５１等、ネットワーク管理ノードの例を含み得る。より具体的には、装置５００は、集中化した省エネルギー管理アルゴリズムを実装するために使用し得るネットワーク管理ノードの例を含むとしてもよく、これによれば、複数のモバイルデバイスインターフェースノード５３２‐ｓを省エネルギーモードによって非アクティブ化すべきかどうかについての判断は、中央ネットワーク管理ノードで行われる。様々な実施形態において、装置５００は、ＬＴＥネットワーク管理ノードを備えてもよい。図５に示す装置５００は一定のトポロジにおいて限定された数の要素を有するが、装置５００は所与の実装に所望な代替のトポロジにおいて、より多いかまたはより少ない要素を含み得ることを理解されたい。
【００５６】
装置５００は、１つまたは複数のソフトウェアコンポーネント５２２‐ａを実行するように設定されたプロセッサ回路５２０を有するコンピュータ実装された装置を備えてもよい。いくつかの実施形態において、装置５００は、装置２００について定義した固定式装置またはモバイルデバイスのいずれかとして実装することができる。プロセッサ回路は、図２のプロセッサ回路２２０と同一であるか、または類似することがある。実施形態はこの文脈において限定されない。
【００５７】
様々な実施形態において、装置５００は、トランシーバ５２１を備えてもよい。トランシーバ５２１は、好適な様々な無線通信技術を用いて、信号を送信および受信することができる１つまたは複数の無線装置を含むとしてもよく、図２のトランシーバ２２１と同一であるか、または類似してもよい。
【００５８】
いくつかの実施形態において、装置５００は、通信コンポーネント５２２‐１を備えてもよい。様々な実施形態において、通信コンポーネント５２２‐１は、例えば、モバイルデバイスインターフェースノード、モバイルデバイス、デバイス追跡ノード、および／またはネットワーク管理ノード等、プロセッサ回路５２０によって１つまたは複数の通信デバイスと通信することを実行するように設定するとしてもよい。そのようないくつかの実施形態において、通信コンポーネント５２２‐１は、デバイス追跡情報５２５、サービス持続可能性情報５２６、および／またはサービス持続可能性情報クエリ５３０‐ｘを含む１つまたは複数の送信を受信および／または送信するように動作することができる。例示的な実施形態において、通信コンポーネント５２２‐１は、モバイルデバイスインターフェースノード５３２‐ｓによってサービス提供される１つもしくは複数の接続されたモバイルデバイス５３８‐ｕ、および／またはアイドルモバイルデバイス５３９‐ｖについての接続状態のセットを記載する、サービス持続可能性情報５２６を受信するように動作することができる。実施形態はこの文脈において限定されない。
【００５９】
様々な実施形態において、装置５００は、決定コンポーネント５２２‐３を備えてもよい。決定コンポーネント５２２‐３は、１つまたは複数のサービス持続可能性情報クエリ５３０‐ｘを生成し、１つまたは複数のサービス持続可能性情報クエリ５３０‐ｘに応答してサービス持続可能性情報５２６を受信し、および／または省エネルギーモードにより１つまたは複数のモバイルデバイスインターフェースノード５３２‐ｓを非アクティブ化すべきかどうかを決定するように動作することができる。実施形態はこの文脈において限定されない。
【００６０】
また、図５は第２のシステム５４０の一実施形態を例示し得る。  システム５４０は、装置５００およびアンテナ５４２を備えてもよい。アンテナ５４２は、図２のアンテナ２４２と同一であるか、または類似してもよい。いくつかの実施形態において、システム５４０は、トランシーバ５２６およびアンテナ５４２を用いて、デバイス追跡情報５２５、サービス持続可能性情報５２６、および／またはサービス持続可能性情報クエリ５３０を受信および／または送信するように動作することができる。実施形態はこの文脈において限定されない。
【００６１】
通常、装置５００および／またはシステム５４０は、省エネルギー管理アルゴリズムの実装と共に１つまたは複数のモバイルデバイスインターフェースノード５３２‐ｓを非アクティブ化するかどうかを決定するように動作することができる。様々な実施形態において、決定コンポーネント５２２‐３は、モバイルデバイスインターフェースノード５３２‐ｓのトラフィック負荷をトラフィック負荷しきい値５６１と比較するように動作することができる。トラフィック負荷しきい値５６１は、省エネルギー管理アルゴリズムに関連するオペレータポリシー５６０における省エネルギーモードトリガに対応し得る。いくつかの実施形態において、決定コンポーネント５２２‐３は、モバイルデバイスインターフェースノード５３２‐ｓのトラフィック負荷がトラフィック負荷しきい値５６１よりも小さいと決定することができる。この決定に基いて、決定コンポーネント５２２‐３は、モバイルデバイスインターフェースノード５３２‐ｓを、省エネルギーモードによって非アクティブ化する候補として識別することができる。実施形態はこの文脈において限定されない。
【００６２】
様々な実施形態において、決定コンポーネント５２２‐３は、１つまたは複数のサービス持続可能性情報クエリ５３０‐ｘを生成するように動作することができ、これを通信コンポーネント５２２‐１によってデバイス追跡ノード５３３に送信してもよい。いくつかの実施形態において、１つまたは複数のサービス持続可能性情報クエリ５３０‐ｘは、省エネルギーモードによって非アクティブ化する候補として識別されたモバイルデバイスインターフェースノード５３２‐ｓに関係するサービス持続可能性情報５２６の要求を含むとしてもよい。実施形態はこの文脈において限定されない。
【００６３】
様々な実施形態において、１つまたは複数のサービス持続可能性情報クエリ５３０‐ｘに応答して、通信コンポーネント５２２‐１は、サービス持続可能性情報５２６をデバイス追跡ノード５３３から受信するように動作することができる。いくつかの実施形態において、サービス持続可能性情報５２６は、省エネルギーモードによって非アクティブ化する候補として識別されたモバイルデバイスインターフェースノード５３２‐ｓに関係するサービス持続可能性情報を含むとしてもよい。そのような様々な実施形態において、サービス持続可能性情報５２６は、モバイルデバイスインターフェースノード５３２‐ｓについての持続可能でないアイドルデバイスカウント５５１および／または転送不可能な接続されたデバイスのカウント５５２を含み得る。他のそのような実施形態において、サービス持続可能性情報５２６は、持続可能でないアイドルデバイスカウント５５１および／または転送不可能な接続されたデバイスのカウント５５２を含まないことがあるが、モバイルデバイスインターフェースノード５３２‐ｓによってサービス提供され、かつ、決定コンポーネント５２２‐３が、モバイルデバイスインターフェースノード５３２‐ｓの持続可能でないアイドルデバイスカウント５５１および／または転送不可能な接続されたデバイスのカウント５５２を決定するように使用可能な１つまたは複数のモバイルデバイスについての接続状態のセットを記載する、情報を含むことがある。実施形態はこの文脈において限定されない。
【００６４】
いくつかの実施形態において、決定コンポーネント５２２‐３は、モバイルデバイスインターフェースノード５３２‐ｓの持続可能でないアイドルデバイスカウント５５１を受信または決定し、持続可能でないアイドルデバイスカウント５５１がオペレータポリシー５６０に定義される持続可能でないアイドルデバイスしきい値５６２を超えるかどうかに基いて、省エネルギーモードによりモバイルデバイスインターフェースノード５３２‐ｓを非アクティブ化するかどうかを決定するように動作することができる。例えば、持続可能でないアイドルデバイスカウント５５１が持続可能でないアイドルデバイスしきい値５６２を超えると、決定コンポーネント５２２‐３が決定する実施形態において、決定コンポーネント５２２‐３は、それに応じて、モバイルデバイスインターフェースノード５３２‐ｓが省エネルギーモードに入らないと決定することができる。様々な実施形態において、モバイルデバイスインターフェースノード５３２‐ｓの持続可能でないアイドルデバイスカウント５５１は、ゼロに等しく、持続可能でないアイドルモバイルデバイスがモバイルデバイスインターフェースノード５３２‐ｓによってサービス提供されない場合、モバイルデバイスインターフェースノード５３２‐ｓを非アクティブ化しないことを示すことができる。実施形態はこの文脈において限定されない。
【００６５】
いくつかの実施形態において、決定コンポーネント５２２‐３は、モバイルデバイスインターフェースノード５３２‐ｓの転送不可能な接続されたデバイスのカウント５５２を受信または決定し、転送不可能な接続されたデバイスのカウント５５２がオペレータポリシー５６０に定義する転送不可能な接続されたデバイスのしきい値５６３を超えるかどうかに基いて、省エネルギーモードによりモバイルデバイスインターフェースノード５３２‐ｓを非アクティブ化するかどうかを決定するように動作することができる。例えば、モバイルデバイスインターフェースノード５３２‐ｓの転送不可能な接続されたデバイスのカウント５５２が転送不可能な接続されたデバイスのしきい値５６３を超えると、決定コンポーネント５２２‐３が決定する実施形態において、決定コンポーネント５２２‐３は、それに応じて、モバイルデバイスインターフェースノード５３２‐ｓは省エネルギーモードに入らないと決定することができる。様々な実施形態において、モバイルデバイスインターフェースノード５３２‐ｓの転送不可能な接続されたデバイスのカウント５５２は、ゼロに等しく、転送不可能な接続されたモバイルデバイスがモバイルデバイスインターフェースノード５３２‐ｓによってサービス提供されない場合、モバイルデバイスインターフェースノード５３２‐ｓを非アクティブ化しないことを示すことができる。実施形態はこの文脈において限定されない。
【００６６】
図５の例は、装置５００および／またはシステム５４０が、デバイス追跡ノード５３３から受信したサービス持続可能性情報５２６において得たものとして転送不可能な接続されたデバイスのカウント５５２を例示するが、実施形態がこの例に限定されないことは留意に値する。他のいくつかの実施形態において、装置５００および／またはシステム５４０は、１つもしくは複数のモバイルデバイスインターフェースノード５３２‐ｓ、１つもしくは複数の接続されたモバイルデバイス５３８‐ｕ、および／または１つもしくは複数のアイドルモバイルデバイス５３８‐ｖから受信したデバイス追跡情報５２５に基いて、転送不可能な接続されたデバイスのカウント５５２を決定することができる。実施形態はこの文脈において限定されない。
【００６７】
図６は、図１において、ならびに／または図２の装置２００および／もしくはシステム２４０と共に例示されるものなど、通信環境の省エネルギー管理アルゴリズムの実装において使用され得る第３の装置６００の一実施形態を例示し得る。装置６００は、様々な実施形態による図１のモバイルデバイスインターフェースノード１０２等、モバイルデバイスインターフェースノード１０２の例を含むとしてもよい。より具体的には、装置６００は、分散型の省エネルギー管理アルゴリズムの実装において使用することができるモバイルデバイスインターフェースノードの例を備えてもよく、分散型の省エネルギー管理アルゴリズムの実装によれば、各特定のモバイルデバイスインターフェースノードを省エネルギーモードにより非アクティブ化すべかどうかの決定は、それぞれのモバイルデバイスインターフェースノードにおいて行われる。様々な実施形態において、装置６００は、ｅＮｏｄｅＢを備えてもよい。図６に示す装置６００は一定のトポロジにおいて限定された数の要素を有するが、装置６００は、実装のために所望の代替のトポロジにおいて、より多いか、またはより少ない要素を含むとしてもよいことを理解されたい。
【００６８】
いくつかの実施形態において、装置６００は、１つまたは複数のソフトウェアコンポーネント６２２‐ａを実行するように設定されたプロセッサ回路６２０を有するコンピュータ実装された装置を備えてもよい。様々な実施形態において、装置６００は、装置２００に関して定義された固定式装置またはモバイルデバイスのいずれかとして実装してもよい。プロセッサ回路は、図２のプロセッサ回路２２０と同一であるか、または類似することがある。実施形態はこの文脈において限定されない。
【００６９】
いくつかの実施形態において、装置６００は、トランシーバ６２１を備えてもよい。トランシーバ６２１は、好適な様々な無線通信技術を使用して信号を送信および受信することができる１つまたは複数の無線装置を含むとしてもよく、図２のトランシーバ２２１と同一であるか、または類似してもよい。
【００７０】
様々な実施形態において、装置６００は、通信コンポーネント６２２‐１を備えてもよい。いくつかの実施形態において、通信コンポーネント６２２‐１は、プロセッサ回路６２０によって、例えば、モバイルデバイスインターフェースノード、モバイルデバイス、デバイス追跡ノード、および／またはネットワーク管理ノードなど、１つまたは複数の通信デバイスと通信することを実行するように設定してもよい。そのような様々な実施形態において、通信コンポーネント６２２‐１は、デバイス追跡情報６２５、サービス持続可能性情報６２６、および／またはサービス持続可能性情報クエリ６３０‐ｘを含む１つまたは複数の送信を受信および／または送信するように動作することができる。例示的な実施形態において、通信コンポーネント６２２‐１は、モバイルデバイスインターフェースノード６３２‐ｓによってサービス提供される１つまたは複数の接続されたモバイルデバイス６３８‐ｕおよび／またはアイドルモバイルデバイス６３９‐ｖについて、接続状態のセットを記載するサービス持続可能性情報６２６を受信するように動作することができる。実施形態はこの文脈において限定されない。
【００７１】
いくつかの実施形態において、装置５００は、決定コンポーネント６２２‐３を備えてもよい。決定コンポーネント６２２‐３は、１つまたは複数のサービス持続可能性情報クエリ６３０‐ｘを生成し、１つまたは複数のサービス持続可能性情報クエリ６３０‐ｘに応答してサービス持続可能性情報６２６を受信し、および／または省エネルギーモードにより１つまたは複数のモバイルデバイスインターフェースノード６３２‐ｓを非アクティブ化するかどうかを決定するように動作することができる。実施形態はこの文脈において限定されない。
【００７２】
図６は、第３のシステム６４０の一実施形態も例示し得る。システム６４０は、装置６００およびアンテナ６４２を備えてもよい。アンテナ６４２は、図２のアンテナ２４２と同一であるか、または類似してもよい。様々な実施形態において、システム６４０は、トランシーバ６２６およびアンテナ６４２を用いて、デバイス追跡情報６２５、サービス持続可能性情報６２６、および／またはサービス持続可能性情報クエリ６３０を受信および／または送信するように動作することができる。実施形態はこの文脈において限定されない。
【００７３】
通常、装置６００および／またはシステム６４０は、省エネルギー管理アルゴリズムの実装と共に非アクティブ化するかどうかを決定するように動作することができる。いくつかの実施形態において、決定コンポーネント６２２‐３は、装置６００および／またはシステム６４０のトラフィック負荷をトラフィック負荷しきい値６６１と比較するように動作することができる。トラフィック負荷しきい値６６１は、省エネルギー管理アルゴリズムと関連するオペレータポリシー６６０の省エネルギーモードトリガに対応し得る。様々な実施形態において、決定コンポーネント６２２‐３は、装置６００および／またはシステム６４０のトラフィック負荷がトラフィック負荷しきい値６６１よりも小さいと決定してもよい。この決定に基いて、決定コンポーネント６２２‐３は、装置６００および／またはシステム６４０を、省エネルギーモードにより非アクティブ化する候補として識別することができる。
【００７４】
いくつかの実施形態において、決定コンポーネント６２２‐３は、１つまたは複数のサービス持続可能性情報クエリ６３０‐ｘを生成するように動作することができ、これを通信コンポーネント６２２‐１によってデバイス追跡ノード６３３に送信してもよい。様々な実施形態において、１つまたは複数のサービス持続可能性情報クエリ６３０‐ｘは、装置６００および／またはシステム６４０に関係するサービス持続可能性情報６２６の要求を含むとしてもよい。実施形態はこの文脈において限定されない。
【００７５】
いくつかの実施形態において、１つまたは複数のサービス持続可能性情報クエリ６３０‐ｘに応答して、通信コンポーネント６２２‐１は、サービス持続可能性情報６２６をデバイス追跡ノード６３３から受信するように動作することができる。様々な実施形態において、サービス持続可能性情報６２６は、装置６００および／またはシステム６４０に関係するするサービス持続可能性情報を含むとしてもよい。そのようないくつかの実施形態において、サービス持続可能性情報６２６は、装置６００および／またはシステム６４０の持続可能でないアイドルデバイスカウント６５１を含むとしてもよい。他のそのような実施形態において、サービス持続可能性情報６２６は、持続可能でないアイドルデバイスカウント６５１を含まないとしてもよいが、モバイルデバイスインターフェースノード６３２‐ｓによってサービス提供され、決定コンポーネント６２２‐３がモバイルデバイスインターフェースノード６３２‐ｓの持続可能でないアイドルデバイスカウント６５１を決定するように使用可能な１つまたは複数のモバイルデバイスの接続状態のセットを記載する情報を含むとしてもよい。実施形態はこの文脈において限定されない。
【００７６】
様々な実施形態において、決定コンポーネント６２２‐３は、モバイルデバイスインターフェースノード６３２‐ｓの持続可能でないアイドルデバイスカウント６５１を受信または決定して、装置６００および／またはシステム６４０の持続可能でないアイドルデバイスカウント６５１がオペレータポリシー６６０に定義された持続可能でないアイドルデバイスしきい値６６２を超えるかどうかに基いて、省エネルギーモードにより装置６００および／またはシステム６４０を非アクティブ化するかどうかを決定するように動作することができる。例えば、装置６００および／またはシステム６４０の持続可能でないアイドルデバイスカウント６５１が持続可能でないアイドルデバイスしきい値６６２を超えると、決定コンポーネント６２２‐３が決定する実施形態において、決定コンポーネント６２２‐３は、それに応じて、装置６００および／またはシステム６４０が省エネルギーモードに入らないと決定することができる。いくつかの実施形態において、装置６００および／またはシステム６４０の持続可能でないアイドルデバイスカウント６５１は、ゼロに等しいことがあり、持続可能でないアイドルモバイルデバイスが装置６００および／またはシステム６４０によってサービス提供される場合、装置６００および／またはシステム６４０を非アクティブ化するべきでないことを示す。実施形態はこの文脈において限定されない。
【００７７】
様々な実施形態において、決定コンポーネント６２２‐３は、装置６００および／またはシステム６４０の転送不可能な接続されたデバイスのカウント６５２を生成するように動作することができる。いくつかの実施形態において、転送不可能な接続されたデバイスのカウント６５２は、装置６００および／またはシステム６４０によってサービス提供され、他のモバイルデバイスインターフェースノードにハンドオフすることができない、接続されたモバイルデバイス６３８‐ｕの数を示すことができる。様々な実施形態において、決定コンポーネント６２２‐３は、装置６００および／またはシステム６４０の持続可能でないアイドルデバイスカウント６５１が持続可能でないアイドルデバイスしきい値６６２を超えないと決定した後、装置６００および／またはシステム６４０の転送不可能な接続されたデバイスのカウント６５２を生成するように動作することができる。そのようないくつかの実施形態において、装置６００および／またはシステム６４０は、装置６００および／またはシステム６４０の転送不可能な接続されたデバイスのカウント６５２を生成する前に、１つまたは複数の接続されたモバイルデバイスのハンドオフを試みように動作することができる。次いで、決定コンポーネント６２２‐３は、ハンドオフの試みが成功せず、および／または可能でなかった接続されたモバイルデバイスの数に基いて、装置６００および／またはシステム６４０の転送不可能な接続されたデバイスのカウント６５２を決定するように動作することができる。実施形態はこの文脈において限定されない。
【００７８】
様々な実施形態において、決定コンポーネント６２２‐３は、装置６００および／またはシステム６４０の転送不可能な接続されたデバイスのカウント６５２がオペレータポリシー６６０に定義された転送不可能な接続されたデバイスのしきい値６６３を超えるかどうかに基いて、省エネルギーモードにより装置６００および／またはシステム６４０を非アクティブ化するかどうかを決定するように動作することができる。例えば、装置６００および／またはシステム６４０の転送不可能な接続されたデバイスのカウント６５２が転送不可能な接続されたデバイスのしきい値６６３を超えると、決定コンポーネント６２２‐３が決定する実施形態において、決定コンポーネント６２２‐３は、それに応じて、装置６００および／またはシステム６４０が省エネルギーモードに入らないと決定することができる。いくつかの実施形態において、装置６００および／またはシステム６４０の転送不可能な接続されたデバイスのカウント６５２はゼロに等しく、転送不可能な接続されたモバイルデバイスが装置６００および／またはシステム６４０によってサービス提供される場合、装置６００および／またはシステム６４０を非アクティブ化すべきでないことを示すことができる。実施形態はこの文脈において限定されない。
【００７９】
装置５００、システム５４０、装置６００、および／またはシステム６４０の様々なコンポーネントは、様々なタイプ通信媒体によって互いに通信可能に結合され、動作を調整し得ることは留意に値する。調整は、情報の一方向または双方向の交換を含むとしてもよい。例えば、コンポーネントは、通信媒体を介して通信される信号の形式で情報を通信することができる。情報は、様々な信号線に割り当てられた信号として実装することができる。そのような割り当てにおいて、各メッセージは信号である。しかし、更なる実施形態は、これに代えてデータメッセージを利用することができる。そのようなデータメッセージを様々な接続で送信することができる。例示的な接続としては、パラレルインターフェース、シリアルインターフェース、およびバスインターフェースが挙げられる。実施形態はこの文脈において限定されない。
【００８０】
図７は、装置５００、システム５４０、装置６００、および／またはシステム６４０等、本明細書に説明される１つまたは複数の実施形態によって実行される動作のいくつかのまたは全てを表し得る論理フロー７００の実施形態を例示する。より具体的には、論理フロー７００は、それぞれ図５および６の通信コンポーネント５２２‐１および／もしくは６２２‐１、ならびに／またはそれぞれ図５および６の決定コンポーネント５２２‐３および／もしくは６２２‐３によって実装することができる。
【００８１】
図７に示す例示の実施形態において、論理フロー７００は７０２で開始することができ、モバイルデバイスインターフェースノードのトラフィック負荷を決定することができる。例えば、図６の決定コンポーネント６２２‐３は、装置６００および／またはシステム６４０のトラフィック負荷を決定することができる。７０４で、トラフィック負荷がトラフィック負荷しきい値よりも小さいかどうかを判断してもよい。例えば、図６の決定コンポーネント６２２‐３は、装置６００および／またはシステム６４０のトラフィック負荷がトラフィック負荷しきい値６６１よりも小さいかどうかを判断することができる。トラフィック負荷がトラフィック負荷しきい値よりも小さくないと判断される場合、フローは７１６に進み、モバイルデバイスインターフェースノードが省エネルギーモードに入らないと決定することができる。トラフィック負荷がトラフィック負荷しきい値よりも小さいと判断される場合、フローは７０６に進むことができる。７０６で、持続可能でないアイドルデバイスカウントを受信または決定してもよい。例えば、図６の通信コンポーネント６２２‐１は、持続可能でないアイドルデバイスカウント６５１をデバイス追跡ノード６３３から受信してもよく、またはデバイス追跡ノード６３３から受信したサービス持続可能性情報６２６に基いて持続可能でないアイドルデバイスカウント６５１を決定してもよい。７０８で、持続可能でないアイドルデバイスカウントが持続可能でないアイドルデバイスしきい値よりも小さいかどうかを判断してもよい。例えば、図６の決定コンポーネント６２２‐３は、持続可能でないアイドルデバイスカウント６５１が持続可能でないアイドルデバイスしきい値６６２よりも小さいと決定することができる。持続可能でないアイドルデバイスカウントが持続可能でないアイドルデバイスしきい値よりも小さくないと決定される場合、フローは７１６に進むことができ、モバイルデバイスインターフェースノードが省エネルギーモードに入らないと決定することができる持続可能でないアイドルデバイスカウントが持続可能でないアイドルデバイスしきい値よりも小さいと決定されると、フローは７１０に進むことができる。
【００８２】
７１０で、１つまたは複数の接続されたモバイルデバイスのハンドオフを試みるとしてもよい。例えば、装置６００および／またはシステム６４０は、１つまたは複数の接続されたモバイルデバイス６３８‐ｕを１つまたは複数の他のモバイルデバイスインターフェースノードにハンドオフすることを試みるとしてもよい。７１２で、転送不可能な接続されたデバイスのカウントを受信または決定することができる。例えば、図６の決定コンポーネント６２２‐３は、装置６００および／またはシステム６４０の転送不可能な接続されたデバイスのカウント６５２を決定することができ、または転送不可能な接続されたデバイスのカウント６５２をデバイス追跡ノード６３３から受信することができる。様々な実施形態において、転送不可能な接続されたデバイスのカウントは、ハンドオフが成功しないか、または可能でなかった接続されたモバイルデバイスの数を示すことができる。例えば、図６の転送不可能な接続されたデバイスのカウント６５２は、ハンドオフが成功しないか、可能でなかった接続されたモバイルデバイス６３８‐ｕの数を示すことができる。実施形態はこの例に限定されない。
【００８３】
７１４で、転送不可能な接続されたデバイスのカウントが転送不可能な接続されたデバイスのしきい値よりも小さいかどうかを判断することができる。例えば、図６の決定コンポーネント６２２‐３は、転送不可能な接続されたデバイスのカウント６５２が転送不可能な接続されたデバイスのしきい値６６３よりも小さいかどうかを判断することができる。転送不可能な接続されたデバイスのカウントが転送不可能な接続されたデバイスのしきい値より小さくないと判断される場合、フローは７１６に進むことができ、モバイルデバイスインターフェースノードは省エネルギーモードに入らないと決定することができる。転送不可能な接続されたデバイスのカウントが転送不可能な接続されたデバイスのしきい値よりも小さいと判断される場合、フローは７１８に進むことができ、モバイルデバイスインターフェースノードが省エネルギーモードに入ると決定することができる。
【００８４】
図８は、ストレージ媒体８００の実施形態を例示する。ストレージ媒体８００は、一製造物を備えてもよい。一実施形態において、ストレージ媒体８００は、光、磁気、または半導体ストレージ等、いずれの非一時的なコンピュータ可読媒体または機械可読媒体も備えてもよい。ストレージ媒体は、論理フロー４００および７００のうち１つまたは双方を実装する命令等、様々なタイプのコンピュータ実行可能な命令を格納することができる。コンピュータ可読または機械可読ストレージ媒体の例としては、揮発性メモリもしくは非揮発性メモリ、リムーバブルメモリもしくはノンリムーバブルメモリ、消去可能メモリもしくは消去不可能メモリ、書き込み可能メモリまたは再書き込み可能メモリなどを含む、電子データを格納することができる有体媒体が挙げられ得る。コンピュータ実行可能な命令の例としては、ソースコード、コンパイル済みコード、解釈済みコード、実行可能コード、静的コード、動的コード、オブジェクト指向コード、視覚コード等、任意の好適なタイプのコードが挙げられ得る。実施形態はこの文脈において限定されない。
【００８５】
図９は、ブロードバンド無線アクセスネットワークで使用するデバイス９００の実施形態を例示する。デバイス９００は、例えば、装置２００、５００、および／もしくは６００、システム２４０、５４０、および／もしくは６４０、ストレージ媒体８００、ならびに／または論理回路９２８を実装することができる。論理回路９２８は、物理回路を含み、例えば装置２００、５００、および／または６００について説明される動作を行うとしてもよい。図９に示すように、デバイス９００は、無線インターフェース９１０、ベースバンド回路９２０、およびコンピューティングプラットフォーム９３０を含むとしてもよいが、実施形態はこの構成に限定されない。
【００８６】
デバイス９００は、１つのデバイス内の全体等、１つのコンピューティングエンティティにおいて、装置２００、５００、および／もしくは６００、システム２４０、５４０、および／もしくは６４０、ストレージ媒体８００、ならびに／または論理回路９２８のいくつかまたは全ての構造および／または動作を実装してもよい。あるいは、デバイス９００は、クライアント‐サーバアーキテクチャ、３層アーキテクチャ、Ｎ層アーキテクチャ、密接に結合し、またはクラスター化したアーキテクチャ、ピア‐ピアのアーキテクチャ、マスター‐スレーブのアーキテクチャ、共有データベースのアーキテクチャ、および他のタイプの分散システム等の分散システムアーキテクチャを用いて、複数のコンピューテイングエンティティ全体で、装置２００、５００、および／もしくは６００、システム２４０、５４０、および／もしくは６４０、ストレージ媒体８００、ならびに／または論理回路９２８の構造および／または動作の一部分を分散させることができる。実施形態はこの文脈において限定されない。
【００８７】
一実施形態において、無線インターフェース９１０は、１つのキャリアまたはマルチキャリアの変調信号（例えば、相補型符号変調（ＣＣＫ）および／または直交周波数分割多重（ＯＦＤＭ）の記号を含む）を送信および／または受信するように適合されるコンポーネントまたはコンポーネントの組み合わせを含むとしてもよいが、実施形態はいずれの具体的な無線通信経由インタフェースまたは変調スキームにも限定されない。無線インターフェース９１０は、例えば、受信機９１２、周波数シンセサイザ９１４、および／または送信機９１６を含むとしてもよい。無線インターフェース９１０は、バイアス制御、水晶発振器、および／または１つまたは複数のアンテナ９１８‐ｆを含むとしてもよい。別の実施形態において、無線インターフェース９１０は、所望の外部の電圧制御発振器（ＶＣＯ）、表面弾性波フィルタ、中間周波数（ＩＦ）フィルタ、および／またはＲＦフィルタを使用してもよい。潜在的ＲＦインタフェース設計は多様であるため、それを拡大して説明することは省略する。
【００８８】
ベースバンド回路９２０は、無線インターフェース９１０と通信して、受信および／または送信信号を処理してもよく、例えば、受信信号をダウンコンバートするアナログ‐デジタル変換器９２２、送信用の信号をアップコンバートするデジタル‐アナログ変換器９２４を含むとしてもよい。更に、ベースバンド回路９２０は、それぞれの受信信号／送信信号のＰＨＹリンク層処理用のベースバンドまたは物理層（ＰＨＹ）処理回路９２６を含むとしてもよい。ベースバンド回路９２０は、例えば、ＭＡＣ／データリンク層処理のための媒体アクセス制御（ＭＡＣ）処理回路９２７を含むとしてもよい。ベースバンド回路９２０は、例えば１つまたは複数のインタフェース９３４を介してＭＡＣ処理回路９２７および／またはコンピューティングプラットフォーム９３０と通信するメモリ制御器９３２を含むとしてもよい。
【００８９】
いくつかの実施形態において、ＰＨＹ処理回路９２６は、バッファメモリ等の付加的回路と組み合わせたフレーム構造および／または検出モジュールを含み、通信フレームおよび／またはパケットを構築および／または解体するとしてもよい。あるいは、または更に、ＭＡＣ処理回路９２７は、これらの機能の特定のものについて処理を共有し、またはＰＨＹ処理回路９２６と独立してこれらの処理を行うとしてもよい。いくつかの実施形態において、ＭＡＣおよびＰＨＹ処理は、１つの回路に統合してもよい。
【００９０】
コンピューティングプラットフォーム９３０は、デバイス９００にコンピューティングの機能性を提供することができる。示すように、コンピューティングプラットフォーム９３０は、処理コンポーネント９４０を含むとしてもよい。ベースバンド回路９２０に加えて、またはこの代替として、デバイス９００は、処理コンポーネント９４０を用いて、装置２００、５００、および／もしくは６００、システム２４０、５４０、および／もしくは６４０、ストレージ媒体８００、ならびに／または論理回路９２８のオペレーションまたは論理を実行してもよい。処理コンポーネント９４０（ならびに／またはＰＨＹ９２６、および／もしくはＭＡＣ９２７）は、様々なハードウェア要素、ソフトウェア要素、または双方の組み合わせを備えてもよい。ハードウェア要素の例としては、デバイス、論理デバイス、コンポーネント、プロセッサ、マイクロプロセッサ、回路、プロセッサ回路（例えばプロセッサ回路２２０）、回路素子（例えば、トランジスタ、抵抗器、コンデンサ、インダクタ等）、集積回路、特定用途向け集積回路（ＡＳＩＣ）、プログラマブル論理デバイス（ＰＬＤ）、デジタル信号プロセッサ（ＤＳＰ）、フィールドプログラマブルゲートアレイ（ＦＰＧＡ）、メモリユニット、論理ゲート、レジスタ、半導体デバイス、チップ、マイクロチップ、チップセット等が挙げられ得る。ソフトウェア要素の例としては、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウェア、ミドルウェア、ファームウェア、ソフトウェアモジュール、ルーチン、サブルーチン、関数、方法、プロシージャ、ソフトウェアインタフェース、アプリケーションプログラムインタフェース（ＡＰＩ）、命令セット、コンピューティングコード、コンピュータコード、コードセグメント、コンピュータコードセグメント、ワード、値、シンボル、またはそれらのいずれかの組み合わせが挙げられ得る。ハードウェア要素および／またはソフトウェア要素を使用する実施形態が実装されているかどうかを判断する段階は、所望の計算レート、電力水準、熱公差、処理サイクル予算、入力データレート、出力データレート、メモリリソース、データバス速度、および他の設計または性能の制約等、所与の実装で所望の任意の数の要因により変更されることがある。
【００９１】
コンピューティングプラットフォーム９３０は、他のプラットフォームコンポーネント９５０を更に含むとしてもよい。他のプラットフォームコンポーネント９５０は、１つもしくは複数のプロセッサ、マルチコアプロセッサ、コプロセッサ、メモリユニット、チップセット、制御器、周辺機器、インタフェース、発振器、タイミングデバイス、ビデオカード、オーディオカード、マルチメディア入力／出力（Ｉ／Ｏ）コンポーネント（例えばデジタルディスプレイ）、電力供給等の共通のコンピューティング要素を含む。メモリユニットの例としては、読み取り専用メモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去式プログラマブルＲＯＭ（ＥＰＲＯＭ）、電気的消去式プログラマブルＲＯＭ（ＥＥＰＲＯＭ）、フラッシュメモリ、強誘電体ポリマーメモリ、オボニックメモリ、相変化または強誘電体ポリマーメモリ等のポリマーメモリ、シリコン‐酸化物‐窒化物‐酸化物‐シリコン（ＳＯＮＯＳ）メモリ、磁気または光学カード、独立ディスクのリダンダントアレイ（ＲＡＩＤ）ドライブ等のデバイスのアレイ、ソリッドステートメモリデバイス（例えばＵＳＢメモリ、ソリッドステートドライブ（ＳＳＤ）、および情報を格納するのに好適なその他のタイプのストレージ媒体等、１つまたは複数の高速メモリユニット形式の様々なタイプのコンピュータ可読および機械可読ストレージ媒体が挙げられ得るが、これらに限定されない。
【００９２】
デバイス９００は、例えば、ウルトラモバイルデバイス、モバイルデバイス、固定式装置、マシン‐ツー‐マシン（Ｍ２Ｍ）デバイス、情報携帯端末（ＰＤＡ）、モバイルコンピューティングデバイス、スマートフォン、電話機、デジタル電話機、移動体電話機、ユーザ機器、ｅＢｏｏｋリーダー、ハンドセット、一方向ページャ、双方向ページャ、メッセージングデバイス、コンピュータ、パーソナルコンピュータ（ＰＣ）、デスクトップコンピュータ、ラップトップコンピュータ、ノートブックコンピュータ、ネットブックコンピュータ、ハンドヘルドコンピュータ、タブレットコンピュータ、サーバ、サーバアレイもしくはサーバファーム、ウェブサーバ、ネットワークサーバ、インターネットサーバ、ワークステーション、ミニコンピュータ、メインフレームコンピュータ、スーパーコンピュータ、ネットワーク装置、ウェブ装置、分散コンピューティングシステム、マルチプロセッサシステム、プロセッサに基くシステム、家電、プログラマブル家電、ゲームデバイス、テレビ、デジタルテレビ、セットトップボックス、無線アクセスポイント、基地局、ノードＢ、加入者ステーション、モバイル加入者センタ、無線ネットワーク制御器、ルータ、ハブ、ゲートウェイ、ブリッジ、スイッチ、機械、またはこれらの組み合わせであってもよい。従って、本明細書で説明するデバイス９００の機能および／または特定の構成は、デバイス９００の様々な実施形態に、適宜所望のように含め、または省略してもよい。いくつかの実施形態において、デバイス９００は、本明細書に引用される１つもしくは複数の３ＧＰＰ  ＬＴＥ仕様、および／またはＷＭＡＮに関するＩＥＥＥ８０２．１６規格、ならびに／または他のブロードバンド無線ネットワークに関連するプロトコルまたは周波数と互換性のあるように構成してもよいが、実施形態はこの点に限定されない。
【００９３】
デバイス９００は、１つの入力と１つの出力の（ＳＩＳＯ）アーキテクチャを用いて実装してもよい。しかし、一定の実装は、ビーム形成もしくは空間分割多元接続（ＳＤＭＡ）用の適応アンテナ技術、および／またはＭＩＭＯ通信技術を用いる送信および／もしくは受信用の複数のアンテナ（例えばアンテナ９１８‐ｆ）を含むとしてもよい。
【００９４】
デバイス９００のコンポーネントおよび特徴は、ディスクリート回路、特定用途向け集積回路（ＡＳＩＣ）、論理ゲート、および／または単一のチップアーキテクチャのいずれかの組み合わせを用いて実装してもよい。更に、デバイス９００の特徴は、マイクロコントローラ、プログラマブル論理アレイ、および／もしくはマイクロプロセッサ、または好適な場合に、上記のいずれかの組み合わせを用いて実装してもよい。ハードウェア、ファームウェア、および／またはソフトウェア要素は、本明細書において、集合的または個別的に「論理」または「回路」と呼ばれる場合があることに留意されたい。
【００９５】
図９のブロック図に示す例示的なデバイス９００は、多くの潜在的実装の機能を記述する一例を表し得ることを理解されたい。従って、添付の図面に図示するブロックの機能を分割、省略、または含んでも、ハードウェアコンポーネント、回路、ソフトウェア、および／またはこれらの機能を実装する要素を、実施形態で必ず分割し、省略し、または含むことを暗示するものではない。
【００９６】
図１０は、ブロードバンド無線アクセスシステム１０００の一実施形態を例示する。図１０に示すように、ブロードバンド無線アクセスシステム１０００は、インターネット１０１０へのモバイル無線アクセスおよび／または固定無線アクセスをサポートすることができるインターネット１０１０タイプのネットワーク等を含む、インターネットプロトコル（ＩＰ）タイプのネットワークであってもよい。１つまたは複数の実施形態において、ブロードバンド無線アクセスシステム１０００は、１つまたは複数の３ＧＰＰ  ＬＴＥ仕様および／またはＩＥＥＥ８０２．１６規格を準拠するシステム等、任意のタイプの直交周波数分割多元接続（ＯＦＤＭＡ）に基く無線ネットワークを備えてもよく、請求される主題の範囲は、この点において限定されない。
【００９７】
例示的なブロードバンド無線アクセスシステム１０００において、アクセスサービスネットワーク（ＡＳＮ）１０１２、１０１８は、基地局（ＢＳ）（またはｅＮｏｄｅＢ）１０１４、１０２０とそれぞれ結合し、１つもしくは複数の固定式装置１０１６とインターネット１０１０との間、および／または１つまたは複数のモバイルデバイス１０２２とインターネット１０１０との間に無線通信を提供することができる。固定式装置１０１６およびモバイルデバイス１０２２の一例はデバイス９００であり、固定式装置１０１６はデバイス９００の静止型を備え、モバイルデバイス１０２２はデバイス９００のモバイル型を備える。ＡＳＮ１０１２、１０１８は、ネットワーク機能のマッピングを定義することができるプロファイルを、ブロードバンド無線アクセスシステム１０００上の１つまたは複数の物理的なエンティティに実装することができる。基地局（またはｅＮｏｄｅＢ）１０１４、１０２０は、無線機器を備え、デバイス９００を参照して説明した固定式装置１０１６および／またはモバイルデバイス１０２２とのＲＦ通信を提供することができ、例えば、３ＧＰＰ  ＬＴＥ仕様またはＩＥＥＥ８０２．１６規格に準拠するＰＨＹおよびＭＡＣ層の機器を備えてもよい。基地局（またはｅＮｏｄｅＢ）１０１４、１０２０は、ＩＰバックプレーンを更に備え、ＡＳＮ１０１２、１０１８を介してそれぞれインターネット１０１０に結合することができるが、特許請求される主題の範囲はこれらの点において、限定されない。
【００９８】
ブロードバンド無線アクセスシステム１０００は、例えば、認証、承認、および会計（ＡＡＡ）の機能、動的ホスト構成プロトコル（ＤＨＣＰ）機能、またはドメインネームサービス制御等のプロキシおよび／またはリレータイプの機能、公衆交換電話網（ＰＳＴＮ）ゲートウェイまたはボイスオーバーインターネットプロトコル（ＶｏＩＰ）ゲートウェイ等のドメインゲートウェイ、および／またはインターネットプロトコル（ＩＰ）タイプのサーバ機能等を含むが、これらに限定されない１つまたは複数のネットワーク機能を提供することができる表示済み接続サービスネットワーク（ＣＳＮ）１０２４を更に含むとしてもよい。しかし、これらは表示済みＣＳＮ１０２４またはホームＣＳＮ１０２６が提供することができる、単なる例示のタイプの機能であり、特許請求される主題の範囲はこの点において限定されない。表示済みＣＳＮ１０２４は、表示済みＣＳＮ１０２４が、固定式装置１０１６またはモバイルデバイス１０２２の通常のサービスプロバイダの一部でない場合、例えば、固定式装置１０１６またはモバイルデバイス１０２２がそれぞれのホームＣＳＮ１０２６から離れてローミングする場合、またはブロードバンド無線アクセスシステム１０００が、固定式装置１０１６またはモバイルデバイス１０２２の通常のサービスプロバイダの一部であるが、ブロードバンド無線アクセスシステム１０００が、固定式装置１０１６またはモバイルデバイス１０２２の主要またはホームの箇所でない別の位置または状態にあり得る場合に、表示済みＣＳＮと呼ぶことができる。
【００９９】
固定式装置１０１６は、家庭または事業所内またはその付近等の基地局（またはｅＮｏｄｅＢ）１０１４、１０２０のうち１つまたは双方の範囲内の任意の場所に位置し、基地局（またはｅＮｏｄｅＢ）１０１４、１０２０、およびＡＳＮ１０１２、１０１８のそれぞれ、ならびにホームＣＳＮ１０２６を介して、家庭または事業所の顧客にインターネット１０１０へのブロードバンドアクセスを提供することができる。通常、固定式装置１０１６は静止位置に配置されるが、必要に応じて異なる位置に移動し得ることは考慮に値する。モバイルデバイス１０２２は、モバイルデバイス１０２２が、例えば、基地局（またはｅＮｏｄｅＢ）１０１４、１０２０のうち１つまたは双方の範囲内に存在する場合、１つまたは複数の位置で利用することができる。
【０１００】
１つまたは複数の実施形態によれば、オペレーションサポートシステム（ＯＳＳ）１０２８は、ブロードバンド無線アクセスシステム１０００の一部であり、ブロードバンド無線アクセスシステム１０００の管理機能を提供し、ブロードバンド無線アクセスシステム１０００の機能エンティティ間にインタフェースを提供することができる。図１０のブロードバンド無線アクセスシステム１０００は、ブロードバンド無線アクセスシステム１０００のコンポーネントの一定の数を示す無線ネットワークの、単なる１つのタイプであり、特許請求される主題の範囲はこの点において限定されない。
【０１０１】
以下の例は、更なる実施形態に関する。
【０１０２】
ネットワーク管理ノードは、プロセッサ回路と、モビリティ管理エンティティ（ＭＭＥ）からサービス持続可能性情報を受信することをプロセッサ回路によって実行するように設定された通信コンポーネントと、ｅＮｏｄｅＢによってサービス提供される１つまたは複数のモバイルデバイスの接続状態のセットを記載するサービス持続可能性情報と、サービス持続可能性情報に基いて、ｅＮｏｄｅＢの持続可能でないアイドルデバイスカウントを決定することをプロセッサ回路によって実行するように設定された決定コンポーネントとを備えてもよく、持続可能でないアイドルデバイスカウントは、代替規格のモバイルデバイスインターフェースノードと共に登録されていないｅＮｏｄｅＢによってサービス提供されるアイドルモバイルデバイスの数を含み、決定コンポーネントは、持続可能でないアイドルデバイスカウントに基いて、ｅＮｏｄｅＢが省エネルギーモードに入るかどうかを決定することをプロセッサ回路によって実行するように設定される。
【０１０３】
そのようなネットワーク管理ノードについては、決定コンポーネントは、オペレータポリシーに基いて、持続可能でないアイドルデバイスしきい値を決定することをプロセッサ回路によって実行するように設定してもよい。
【０１０４】
そのようなネットワーク管理ノードについては、決定コンポーネントは、持続可能でないアイドルデバイスカウントが持続可能でないアイドルデバイスしきい値よりも小さいかどうかに基いて、ｅＮｏｄｅＢが省エネルギーモードに入るかどうかを決定することをプロセッサ回路によって実行するように設定してもよい。
【０１０５】
そのようなネットワーク管理ノードについては、決定コンポーネントは、転送不可能な接続されたデバイスのカウントに基いて、ｅＮｏｄｅＢが省エネルギーモードに入るかどうかを決定することをプロセッサ回路によって実行するように設定してもよい。
【０１０６】
そのようなネットワーク管理ノードについては、決定コンポーネントは、転送不可能な接続されたデバイスのカウントが転送不可能な接続されたデバイスのしきい値よりも小さいかどうかに基いて、ｅＮｏｄｅＢが省エネルギーモードに入るかどうかを決定することをプロセッサ回路によって実行するように設定してもよい。
【０１０７】
そのようなネットワーク管理ノードについては、決定コンポーネントは、転送不可能な接続されたデバイスのカウントを生成することをプロセッサ回路によって実行するように設定してもよい。
【０１０８】
そのようなネットワーク管理ノードについては、決定コンポーネントは、ｅＮｏｄｅＢのトラフィック負荷を決定することをプロセッサ回路によって実行するように設定してもよい。
【０１０９】
そのようなネットワーク管理ノードについては、決定コンポーネントは、ｅＮｏｄｅＢのトラフィック負荷がトラフィック負荷しきい値よりも小さいかどうかに基いて、ｅＮｏｄｅＢが省エネルギーモードに入る候補であるかどうかを決定することをプロセッサ回路によって実行するように設定してもよい。
【０１１０】
システムは、そのようなネットワーク管理ノードと、そのようなネットワーク管理ノードに結合されたアンテナとを備えてもよい。
【０１１１】
方法は、クエリをモビリティ管理エンティティ（ＭＭＥ）に送信する段階と、クエリに応答して、持続可能でないアイドルデバイスカウントをＭＭＥから受信する段階とを備え、持続可能でないアイドルデバイスカウントは、代替規格のモバイルデバイスインターフェースノードと共に登録されていないｅＮｏｄｅＢによってサービス提供されるアイドルモバイルデバイスの数を含み、持続可能でないアイドルデバイスカウントに基いて、ｅＮｏｄｅＢが省エネルギーモードに入るべきかどうかをプロセッサ回路によって決定することができる。
【０１１２】
そのような方法は、持続可能でないアイドルデバイスカウントが持続可能でないアイドルデバイスしきい値よりも小さいかどうかに基いて、ｅＮｏｄｅＢが省エネルギーモードに入るべきかどうかを決定する段階を備えてもよい。
【０１１３】
そのような方法については、持続可能でないアイドルデバイスしきい値は、オペレータポリシーにおいて定義してもよい。
【０１１４】
そのような方法は、転送不可能な接続されたデバイスのカウントを生成する段階と、転送不可能な接続されたデバイスのカウントがオペレータポリシーに定義する転送不可能な接続されたデバイスのしきい値よりも小さいかどうかに基いて、ｅＮｏｄｅＢが省エネルギーモードに入るべきかどうかを決定する段階とを備えるとしてもよい。
【０１１５】
そのような方法は、ｅＮｏｄｅＢのトラフィック負荷を決定する段階と、ｅＮｏｄｅＢのトラフィック負荷がオペレータポリシーに定義するトラフィック負荷しきい値よりも小さい場合、ｅＮｏｄｅＢが省エネルギーモードに入る候補であることを決定する段階とを備えてもよい。
【０１１６】
通信デバイスは、そのような方法を行うように設定してもよい。
【０１１７】
少なくとも１つの機械可読媒体は、コンピューティングデバイス上で実行されることに応答して、コンピューティングデバイスにそのような方法を実行させる命令を含むとしてもよい。
【０１１８】
ネットワーク管理ノードは、そのような方法を実行する手段を備えてもよい。
【０１１９】
少なくとも１つの機械可読媒体は、コンピューティングデバイス上で実行されることに応答して、コンピューティングデバイスに第１のしきい値を定義するオペレータポリシーを受信させ、サービス持続可能性情報クエリをモビリティ管理エンティティ（ＭＭＥ）に送信し、サービス持続可能性情報クエリに応答して、ＭＭＥからサービス持続可能性情報を受信し、サービス持続可能性情報に基いて、ｅＮｏｄｅＢが省エネルギーモードに入るべきかどうかを決定する複数の命令を含み、サービス持続可能性情報は、代替規格のモバイルデバイスインターフェースノードと共に登録されていないｅＮｏｄｅＢによってサービス提供されるのアイドルモバイルデバイスの数を示す持続可能でないアイドルデバイスカウントを含むとしてもよい。
【０１２０】
そのような少なくとも１つの機械可読媒体は、コンピューティングデバイス上で実行されることに応答して、持続可能でないアイドルデバイスカウントが第１のしきい値よりも小さいかどうかに基いて、ｅＮｏｄｅＢが省エネルギーモードに入るべきかどうかを、コンピューティングデバイスに決定させる命令を含むとしてもよい。
【０１２１】
そのような少なくとも１つの機械可読媒体は、コンピューティングデバイス上で実行されることに応答して、コンピューティングデバイスに転送不可能な接続されたデバイスのカウントを生成させる命令を含むとしてもよい。
【０１２２】
そのような少なくとも１つの機械可読媒体は、転送不可能な接続されたデバイスのカウントは、ハンドオフが成功しなかったか、または可能でなかったｅＮｏｄｅＢによってサービス提供される接続されたモバイルデバイスの数を示すことができる。
【０１２３】
そのような少なくとも１つの機械可読媒体は、コンピューティングデバイス上で実行されることに応答して、転送不可能な接続されたデバイスのカウントがオペレータポリシーに定義する第２のしきい値よりも小さいかどうかに基いて、ｅＮｏｄｅＢが省エネルギーモードに入るべきかどうかを、コンピューティングデバイスに決定させる命令を含むとしてもよい。
【０１２４】
そのような少なくとも１つの機械可読媒体については、第１のしきい値は、持続可能でないアイドルデバイスしきい値を含むとしてもよく、第２のしきい値は、転送不可能な接続されたデバイスのしきい値を含むとしてもよい。
【０１２５】
そのような少なくとも１つの機械可読媒体は、コンピューティングデバイス上で実行されることに応答して、コンピューティングデバイスにｅＮｏｄｅＢのトラフィック負荷を決定させる命令を含むとしてもよい。
【０１２６】
そのような少なくとも１つの機械可読媒体は、ｅＮｏｄｅＢのトラフィック負荷がオペレータポリシーに定義するトラフィック負荷しきい値よりも小さい場合、コンピューティングデバイス上で実行されることに応答して、コンピューティングデバイスに、ｅＮｏｄｅＢが省エネルギーモードに入る候補であることを決定させる命令を含むとしてもよい。
【０１２７】
方法は、デバイス追跡情報を受信する段階と、プロセッサによって、デバイス追跡情報をデバイス追跡テーブルに追加する段階と、サービス持続可能性情報クエリを受信する段階と、サービス持続可能性情報クエリおよびデバイス追跡テーブルに基いてサービス持続可能性情報を生成し、サービス持続可能性情報が１つまたは複数のモバイルデバイスについて接続状態のセットを記載する段階とを備えてもよい。
【０１２８】
そのような方法については、デバイス追跡情報は、アイドルモバイルデバイスが持続可能でないアイドル状態に入ったことを示すことができる。
【０１２９】
そのような方法については、持続可能でないアイドル状態は、非アクティブ化されたアイドルモードシグナリングの低減（ＩＳＲ）状態を含むとしてもよい。
【０１３０】
そのような方法については、サービス持続可能性情報は、持続可能でないアイドルデバイスカウントを含むとしてもよい。
【０１３１】
そのような方法は、デバイス追跡情報が、追跡区域更新（ＴＡＵ）タイマの終了前に、アイドルモバイルデバイスからＴＡＵ要求を受信し、ルーティング区域更新（ＲＡＵ）タイマの終了前に、アイドルモバイルデバイスからＲＡＵ要求を受信したことを示す場合に、アイドルモバイルデバイスが持続可能なアイドル状態にあることを示すようにデバイス追跡テーブルでエントリを修正する段階を備えてもよい。
【０１３２】
そのような方法は、デバイス追跡情報が、追跡区域更新（ＴＡＵ）タイマの終了前にアイドルモバイルデバイスからＴＡＵ要求を受信し、ルーティング区域更新（ＲＡＵ）タイマの終了前にアイドルモバイルデバイスからＲＡＵ要求を受信しなかったことを示す場合に、アイドルモバイルデバイスが持続可能でないアイドル状態にあることを示すようにデバイス追跡テーブルでエントリを修正する段階を備えてもよい。
【０１３３】
そのような方法は、デバイス追跡情報が、アイドルモバイルデバイスが第１のｅＮｏｄｅＢによってサービス提供されることを示すアイドルモバイルデバイスから追跡区域更新（ＴＡＵ）要求を受信したことを示し、既存のエントリは、アイドルモバイルデバイスが第２のｅＮｏｄｅＢによってサービス提供されることを示す場合に、アイドルモバイルデバイスが第１のｅＮｏｄｅＢによってサービス提供されることを示すようにデバイス追跡テーブルで既存のエントリを修正する段階を備えてもよい。
【０１３４】
そのような方法は、デバイス追跡情報が、アイドルモバイルデバイスがｅＮｏｄｅＢによってサービス提供されることを示すアイドルモバイルデバイスから追跡区域更新（ＴＡＵ）要求を受信したことを示し、デバイス追跡テーブル内のエントリがアイドルモバイルデバイスに対応しない場合に、デバイス追跡テーブルにエントリを追加し、アイドルモバイルデバイスがｅＮｏｄｅＢによってサービス提供されることを示す段階を備えてもよい。
【０１３５】
そのような方法は、デバイス追跡情報が、追跡区域更新（ＴＡＵ）タイマの終了前にアイドルモバイルデバイスからＴＡＵ要求を受信しなかったことを示す場合に、アイドルモバイルデバイスに対応するデバイス追跡テーブル内のエントリを削除する段階を備えてもよい。
【０１３６】
通信デバイスは、そのような方法を実行するように設定してもよい。
【０１３７】
少なくとも１つの機械可読媒体は、コンピューティングデバイス上で実行されることに応答して、コンピューティングデバイスにそのような方法を実行させる命令を含むとしてもよい。
【０１３８】
ネットワーク管理ノードは、そのような方法を実行する手段を備えてもよい。
【０１３９】
いくつかの実施形態は、「一実施形態」または「実施形態」という表現をその派生物と共に用いて記載されることがある。これらの用語は、実施形態に関連して説明する特定の特徴、構造、または特性が少なくとも一実施形態に含まれることを意味する。本明細書の様々な場所で「一実施形態において」の文言が現れても、全てが必ずしも同一の実施形態を指す訳ではない。
【０１４０】
更に、以下の記載および／または特許請求の範囲において、「結合された」および／または「接続された」という用語は、その派生物と共に使用することがある  特定の実施形態において、「接続された」は、２つまたはそれ以上の要素が互いに直接に物理的に、および／または電気的に接触することを示すために用いることができる。「結合された」は、２つまたはそれ以上の要素が直接に物理的に、および／または電気的に接触することを意味し得る。しかし、「結合された」は、２つまたはそれ以上の要素が互いに直接に接触しないことがあるが、なおも互いに共働し、および／または相互作用し得ることも意味する。例えば、「結合された」は、２つまたはそれ以上の要素が互いに接触しないが、他の要素または中間要素を介して間接的に接合されることを意味し得る。
【０１４１】
更に、「および／または」という用語は、「および」を意味することができ、「または」を意味することができ、「専ら〜または」を意味することができ、「１つの」を意味することができ、「いくつかであって、全てではない」を意味することができ、「いずれでもない」を意味することができ、および／または「両方」を意味することができるが、特許請求される主題の範囲はこの点において限定されない。以下の記載および／または特許請求の範囲において、「備える」および「含む」という用語は、その派生物と共に用いることができ、互いに類義語として意図される。
【０１４２】
本開示の要約書を提供し、読者が技術的な開示の性質を迅速に確認することを可能にすることを強調する。要約書は、特許請求の範囲または意味を解釈し、または限定するために用いられないとの理解と共に提出される。更に、前述の発明を実施するための形態において、様々な特徴は、本開示を効率化するために単一の実施形態にグループ化されることを見て取ることができる。本開示の方法は、特許請求される実施形態が各請求項において明示的に列挙されるよりも多くの特徴を要求するとの意図を反映するものとして解釈されるものではない。むしろ、以下の特許請求の範囲が反映するように、発明の主題は開示される１つの実施形態の全ての特徴よりも少ない。従って、以下の特許請求の範囲は発明を実施するための形態に組み込まれ、各請求項は別個の実施形態として独立している。添付の特許請求の範囲において、「含む」および「そこにおいて（ｉｎ  ｗｈｉｃｈ）」という用語は、「備える」および「そこで（ｗｈｅｒｅｉｎ）」という各用語の平易な英語の均等物として、それぞれ用いられる。更に、「第１の」、「第２の」、「第３の」等の用語は、分類としてのみ用いられ、その対象に数字的な要求を課すことは意図していない。
【０１４３】
上記には、開示されたアーキテクチャの例が含まれる。勿論、構成要素および／または方法論の考えられ得る全ての組み合わせを記載することは可能でないが、当業者は更に多くの組み合わせおよび設定が可能であることを理解するであろう。従って、新規なアーキテクチャは、添付の特許請求の範囲内に含まれるそのような全ての変形形態、変更形態、および改変形態を包含することを意図する。
【図１】
0005911605.tif 000002
【図２】
0005911605.tif 000003
【図３Ａ】
0005911605.tif 000004
【図３Ｂ】
0005911605.tif 000005
【図３Ｃ】
0005911605.tif 000006
【図４】
0005911605.tif 000007
【図５】
0005911605.tif 000008
【図６】
0005911605.tif 000009
【図７】
0005911605.tif 000010
【図８】
0005911605.tif 000011
【図９】
0005911605.tif 000012
【図１０】
0005911605.tif 000013